(57)【要約】【課題】  複数の無線機器に同時に適用でき，安定した通信を実現できる広帯域なアンテナシステムを提供すること。【解決手段】  本発明のアンテナシステムは，頂点部分及び底面を有するコーンと，前記コーンの前記頂点部分に対向して配置されたディスクと，前記コーンの内部に配置されたケーブルであって，前記ケーブル内の導線が前記ディスクに接続されたケーブルと，をそれぞれ有する第１及び第２のアンテナと，アンプとを有し，前記第１のアンテナの前記ケーブル内の前記導線と，前記第２のアンテナの前記ケーブル内の前記導線との間に，前記アンプが接続されている。【選択図】  図３
2006033626.tif 000002
【特許請求の範囲】
【請求項１】
頂点部分及び底面を有するコーンと，前記コーンの前記頂点部分に対向して配置されたディスクと，前記コーンの内部に配置されたケーブルであって，前記ケーブル内の導線が前記ディスクに接続されたケーブルと，をそれぞれ有する第１及び第２のアンテナと，
アンプと，
を有するアンテナシステムであって，
前記第１のアンテナの前記ケーブル内の前記導線と，前記第２のアンテナの前記ケーブル内の前記導線との間に，前記アンプが接続されているアンテナシステム。
【請求項２】
バンドパスフィルタを有する請求項１に記載のアンテナシステム。
【請求項３】
頂点部分及び底面を有するコーンと，前記コーンの前記頂点部分に対向して配置されたディスクと，前記コーンの内部に配置されたケーブルであって，前記ケーブル内の導線が前記ディスクに接続されたケーブルと，をそれぞれ有する第１及び第２のアンテナと，
第１の端子と第２の端子とに接続されたアンプを有する回路と，
を有するアンテナシステムであって，
前記第１のアンテナの前記ケーブル内の前記導線と，前記第２のアンテナの前記ケーブル内の前記導線とが，それぞれ，前記第１の端子及び前記第２の端子に接続されているアンテナシステム。
【請求項４】
前記第１の端子と前記アンプとの間及び前記第２の端子と前記アンプとの間には，それぞれ，バンドパスフィルタが接続されている請求項３に記載のアンテナシステム。
【請求項５】
頂点部分及び底面を有するコーンと，前記コーンの前記頂点部分に対向して配置されたディスクと，前記コーンの内部に配置されたケーブルであって，前記ケーブル内の導線が前記ディスクに接続されたケーブルと，をそれぞれ有する第１及び第２のアンテナと，
第１の端子に接続された第１のダイプレクサと，前記第２の端子に接続された第２のダイプレクサと，前記第１のダイプレクサと前記第２のダイプレクサとの間に接続されたアンプと，前記第１のダイプレクサと前記第２のダイプレクサとを接続する配線とを有する回路と，
を有するアンテナシステムであって，
前記第１のアンテナの前記ケーブル内の前記導線と，前記第２のアンテナの前記ケーブル内の前記導線とが，それぞれ，前記第１の端子及び前記第２の端子に接続されているアンテナシステム。
【請求項６】
前記第１のダイプレクサと前記アンプとの間及び前記第２のダイプレクサと前記アンプとの間には，それぞれ，バンドパスフィルタが接続されている請求項５に記載のアンテナシステム。
【請求項７】
頂点部分及び底面を有するコーンと，前記コーンの前記頂点部分に対向して配置されたディスクと，前記コーンの内部に配置されたケーブルであって，前記ケーブル内の導線が前記ディスクに接続されたケーブルと，をそれぞれ有する第１及び第２のアンテナと，
第１の端子に接続された第１のダイプレクサと，前記第２の端子に接続された第２のダイプレクサと，前記第１のダイプレクサと前記第２のダイプレクサとの間に接続された第１のアンプと，前記第１のダイプレクサと前記第２のダイプレクサとの間に接続されたデュープレクス回路とを有する回路と，
を有するアンテナシステムであって，
前記第１のアンテナの前記ケーブル内の前記導線と，前記第２のアンテナの前記ケーブル内の前記導線とが，それぞれ，前記第１の端子及び前記第２の端子に接続されているアンテナシステム。
【請求項８】
前記デュープレクス回路は，第１のデュープレクサ及び第２のデュープレクサと，前記第１のデュープレクサと前記第２のデュープレクサとの間に接続された第２のアンプ及び第３のアンプとを有する請求項７に記載のアンテナシステム。
【請求項９】
前記第１のデュープレクサと前記第２のアンプとの間，前記第１のデュープレクサと前記第３のアンプとの間，第２のデュープレクサと前記第２のアンプとの間，及び前記第２のデュープレクサと前記第３のアンプとの間に，それぞれ，バンドパスフィルタが接続されている請求項８に記載のアンテナシステム。
【請求項１０】
頂点部分及び底面を有するコーンと，前記コーンの前記頂点部分に対向して配置されたディスクと，前記コーンの内部に配置されたケーブルであって，前記ケーブル内の導線が前記ディスクに接続されたケーブルと，をそれぞれ有する第１及び第２のアンテナと，
第１の端子に接続されたデュープレクス回路とを有する回路と，
を有するアンテナシステムであって，
前記第１のアンテナの前記ケーブル内の前記導線と，前記第２のアンテナの前記ケーブル内の前記導線とが，それぞれ，前記第１の端子及び前記第２の端子に接続されているアンテナシステム。
【請求項１１】
前記デュープレクス回路は，第１のデュープレクサ及び第２のデュープレクサと，前記第１のデュープレクサと前記第２のデュープレクサとの間に接続された第１のアンプ及び第２のアンプとを有する請求項１０に記載のアンテナシステム。
【請求項１２】
前記第１のデュープレクサと前記第１のアンプとの間，前記第１のデュープレクサと前記第２のアンプとの間，第２のデュープレクサと前記第１のアンプとの間，及び前記第２のデュープレクサと前記第２のアンプとの間に，それぞれ，バンドパスフィルタが接続されている請求項１１に記載のアンテナシステム。
【請求項１３】
頂点部分及び底面を有するコーンと，前記コーンの前記頂点部分に対向して配置されたディスクと，前記コーンの内部に配置されたケーブルであって，前記ケーブル内の導線が前記ディスクに接続されたケーブルと，をそれぞれ有する第１及び第２のアンテナと，
第１の端子に接続された第１のダイプレクサと，前記第２の端子に接続された第２のダイプレクサと，前記第１のダイプレクサと前記第２のダイプレクサとの間に接続された第１のデュープレクス回路及び第２のデュープレクス回路とを有する回路と，
を有するアンテナシステムであって，
前記第１のアンテナの前記ケーブル内の前記導線と，前記第２のアンテナの前記ケーブル内の前記導線とが，それぞれ，前記第１の端子及び前記第２の端子に接続されているアンテナシステム。
【請求項１４】
前記第１のデュープレクス回路は，第１のデュープレクサ及び第２のデュープレクサと，前記第１のデュープレクサと前記第２のデュープレクサとの間に接続された第１のアンプ及び第２のアンプとを有しており，且つ前記第２のデュープレクス回路は，第３のデュープレクサ及び第４のデュープレクサと，前記第３のデュープレクサと前記第４のデュープレクサとの間に接続された第３のアンプ及び第４のアンプとを有している請求項１３に記載のアンテナシステム。
【請求項１５】
前記第１のデュープレクサと前記第１のアンプとの間，前記第１のデュープレクサと前記第２のアンプとの間，第２のデュープレクサと前記第１のアンプとの間，前記第２のデュープレクサと前記第２のアンプとの間，前記第３のデュープレクサと前記第３のアンプとの間，前記第４のデュープレクサと前記第３のアンプとの間，第３のデュープレクサと前記第４のアンプとの間，前記第４のデュープレクサと前記第４のアンプとの間に，それぞれ，バンドパスフィルタが接続されている請求項１４に記載のアンテナシステム。
【請求項１６】
頂点部分及び底面を有するコーンと，前記コーンの前記頂点部分に対向して配置されたディスクと，前記コーンの前記底面に接続された導線を内部に有するケーブルと，をそれぞれ有する第１及び第２のアンテナと，
アンプと，
を有するアンテナシステムであって，
前記第１のアンテナの前記ケーブル内の前記導線と，前記第２のアンテナの前記ケーブル内の前記導線との間に，前記アンプが接続されているアンテナシステム。
【請求項１７】
バンドパスフィルタを有する請求項１６に記載のアンテナシステム。
【請求項１８】
頂点部分及び底面を有するコーンと，前記コーンの前記頂点部分に対向して配置されたディスクと，前記コーンの前記底面に接続された導線を内部に有するケーブルと，をそれぞれ有する第１及び第２のアンテナと，
第１の端子と第２の端子とに接続されたアンプを有する回路と，
を有するアンテナシステムであって，
前記第１のアンテナの前記ケーブル内の前記導線と，前記第２のアンテナの前記ケーブル内の前記導線とが，それぞれ，前記第１の端子及び前記第２の端子に接続されているアンテナシステム。
【請求項１９】
前記第１の端子と前記アンプとの間及び前記第２の端子と前記アンプとの間には，それぞれ，バンドパスフィルタが接続されている請求項１７に記載のアンテナシステム。
【請求項２０】
頂点部分及び底面を有するコーンと，前記コーンの前記頂点部分に対向して配置されたディスクと，前記コーンの前記底面に接続された導線を内部に有するケーブルと，をそれぞれ有する第１及び第２のアンテナと，
第１の端子に接続された第１のダイプレクサと，前記第２の端子に接続された第２のダイプレクサと，前記第１のダイプレクサと前記第２のダイプレクサとの間に接続されたアンプと，前記第１のダイプレクサと前記第２のダイプレクサとを接続する配線とを有する回路と，
を有するアンテナシステムであって，
前記第１のアンテナの前記ケーブル内の前記導線と，前記第２のアンテナの前記ケーブル内の前記導線とが，それぞれ，前記第１の端子及び前記第２の端子に接続されているアンテナシステム。
【請求項２１】
前記第１のダイプレクサと前記アンプとの間及び前記第２のダイプレクサと前記アンプとの間には，それぞれ，バンドパスフィルタが接続されている請求項２０に記載のアンテナシステム。
【請求項２２】
頂点部分及び底面を有するコーンと，前記コーンの前記頂点部分に対向して配置されたディスクと，前記コーンの前記底面に接続された導線を内部に有するケーブルと，をそれぞれ有する第１及び第２のアンテナと，
第１の端子に接続された第１のダイプレクサと，前記第２の端子に接続された第２のダイプレクサと，前記第１のダイプレクサと前記第２のダイプレクサとの間に接続された第１のアンプと，前記第１のダイプレクサと前記第２のダイプレクサとの間に接続されたデュープレクス回路とを有する回路と，
を有するアンテナシステムであって，
前記第１のアンテナの前記ケーブル内の前記導線と，前記第２のアンテナの前記ケーブル内の前記導線とが，それぞれ，前記第１の端子及び前記第２の端子に接続されているアンテナシステム。
【請求項２３】
前記デュープレクス回路は，第１のデュープレクサ及び第２のデュープレクサと，前記第１のデュープレクサと前記第２のデュープレクサとの間に接続された第２のアンプ及び第３のアンプとを有する請求項２２に記載のアンテナシステム。
【請求項２４】
前記第１のデュープレクサと前記第２のアンプとの間，前記第１のデュープレクサと前記第３のアンプとの間，第２のデュープレクサと前記第２のアンプとの間，及び前記第２のデュープレクサと前記第３のアンプとの間に，それぞれ，バンドパスフィルタが接続されている請求項２３に記載のアンテナシステム。
【請求項２５】
頂点部分及び底面を有するコーンと，前記コーンの前記頂点部分に対向して配置されたディスクと，前記コーンの前記底面に接続された導線を内部に有するケーブルと，をそれぞれ有する第１及び第２のアンテナと，
第１の端子に接続されたデュープレクス回路とを有する回路と，
を有するアンテナシステムであって，
前記第１のアンテナの前記ケーブル内の前記導線と，前記第２のアンテナの前記ケーブル内の前記導線とが，それぞれ，前記第１の端子及び前記第２の端子に接続されているアンテナシステム。
【請求項２６】
前記デュープレクス回路は，第１のデュープレクサ及び第２のデュープレクサと，前記第１のデュープレクサと前記第２のデュープレクサとの間に接続された第１のアンプ及び第２のアンプとを有する請求項２５に記載のアンテナシステム。
【請求項２７】
前記第１のデュープレクサと前記第１のアンプとの間，前記第１のデュープレクサと前記第２のアンプとの間，第２のデュープレクサと前記第１のアンプとの間，及び前記第２のデュープレクサと前記第２のアンプとの間に，それぞれ，バンドパスフィルタが接続されている請求項２６に記載のアンテナシステム。
【請求項２８】
頂点部分及び底面を有するコーンと，前記コーンの前記頂点部分に対向して配置されたディスクと，前記コーンの前記底面に接続された導線を内部に有するケーブルと，をそれぞれ有する第１及び第２のアンテナと，
第１の端子に接続された第１のダイプレクサと，前記第２の端子に接続された第２のダイプレクサと，前記第１のダイプレクサと前記第２のダイプレクサとの間に接続された第１のデュープレクス回路及び第２のデュープレクス回路とを有する回路と，
を有するアンテナシステムであって，
前記第１のアンテナの前記ケーブル内の前記導線と，前記第２のアンテナの前記ケーブル内の前記導線とが，それぞれ，前記第１の端子及び前記第２の端子に接続されているアンテナシステム。
【請求項２９】
前記第１のデュープレクス回路は，第１のデュープレクサ及び第２のデュープレクサと，前記第１のデュープレクサと前記第２のデュープレクサとの間に接続された第１のアンプ及び第２のアンプとを有しており，且つ前記第２のデュープレクス回路は，第３のデュープレクサ及び第４のデュープレクサと，前記第３のデュープレクサと前記第４のデュープレクサとの間に接続された第３のアンプ及び第４のアンプとを有している請求項２８に記載のアンテナシステム。
【請求項３０】
前記第１のデュープレクサと前記第１のアンプとの間，前記第１のデュープレクサと前記第２のアンプとの間，第２のデュープレクサと前記第１のアンプとの間，前記第２のデュープレクサと前記第２のアンプとの間，前記第３のデュープレクサと前記第３のアンプとの間，前記第４のデュープレクサと前記第３のアンプとの間，第３のデュープレクサと前記第４のアンプとの間，前記第４のデュープレクサと前記第４のアンプとの間に，それぞれ，バンドパスフィルタが接続されている請求項２９に記載のアンテナシステム。
【請求項３１】
上底部分と下底部分を有する台形状の構成要素と，前記台形状の構成要素の前記上底部分に対向して配置された直方体状の構成要素と，前記台形状の構成要素の内部に配置されたケーブルであって，前記ケーブル内の導線が前記直方体状の構成要素に接続されたケーブルと，をそれぞれ有する第１及び第２のアンテナと，
アンプと，
を有するアンテナシステムであって，
前記第１のアンテナの前記ケーブル内の前記導線と，前記第２のアンテナの前記ケーブル内の前記導線との間に，前記アンプが接続されているアンテナシステム。
【請求項３２】
バンドパスフィルタを有する請求項３１に記載のアンテナシステム。
【請求項３３】
上底部分と下底部分を有する台形状の構成要素と，前記台形状の構成要素の前記上底部分に対向して配置された直方体状の構成要素と，前記台形状の構成要素の内部に配置されたケーブルであって，前記ケーブル内の導線が前記直方体状の構成要素に接続されたケーブルと，をそれぞれ有する第１及び第２のアンテナと，
第１の端子と第２の端子とに接続されたアンプを有する回路と，
を有するアンテナシステムであって，
前記第１のアンテナの前記ケーブル内の前記導線と，前記第２のアンテナの前記ケーブル内の前記導線とが，それぞれ，前記第１の端子及び前記第２の端子に接続されているアンテナシステム。
【請求項３４】
前記第１の端子と前記アンプとの間及び前記第２の端子と前記アンプとの間には，それぞれ，バンドパスフィルタが接続されている請求項３３に記載のアンテナシステム。
【請求項３５】
上底部分と下底部分を有する台形状の構成要素と，前記台形状の構成要素の前記上底部分に対向して配置された直方体状の構成要素と，前記台形状の構成要素の内部に配置されたケーブルであって，前記ケーブル内の導線が前記直方体状の構成要素に接続されたケーブルと，をそれぞれ有する第１及び第２のアンテナと，
第１の端子に接続された第１のダイプレクサと，前記第２の端子に接続された第２のダイプレクサと，前記第１のダイプレクサと前記第２のダイプレクサとの間に接続されたアンプと，前記第１のダイプレクサと前記第２のダイプレクサとを接続する配線とを有する回路と，
を有するアンテナシステムであって，
前記第１のアンテナの前記ケーブル内の前記導線と，前記第２のアンテナの前記ケーブル内の前記導線とが，それぞれ，前記第１の端子及び前記第２の端子に接続されているアンテナシステム。
【請求項３６】
前記第１のダイプレクサと前記アンプとの間及び前記第２のダイプレクサと前記アンプとの間には，それぞれ，バンドパスフィルタが接続されている請求項３５に記載のアンテナシステム。
【請求項３７】
上底部分と下底部分を有する台形状の構成要素と，前記台形状の構成要素の前記上底部分に対向して配置された直方体状の構成要素と，前記台形状の構成要素の内部に配置されたケーブルであって，前記ケーブル内の導線が前記直方体状の構成要素に接続されたケーブルと，をそれぞれ有する第１及び第２のアンテナと，
第１の端子に接続された第１のダイプレクサと，前記第２の端子に接続された第２のダイプレクサと，前記第１のダイプレクサと前記第２のダイプレクサとの間に接続された第１のアンプと，前記第１のダイプレクサと前記第２のダイプレクサとの間に接続されたデュープレクス回路とを有する回路と，
を有するアンテナシステムであって，
前記第１のアンテナの前記ケーブル内の前記導線と，前記第２のアンテナの前記ケーブル内の前記導線とが，それぞれ，前記第１の端子及び前記第２の端子に接続されているアンテナシステム。
【請求項３８】
前記デュープレクス回路は，第１のデュープレクサ及び第２のデュープレクサと，前記第１のデュープレクサと前記第２のデュープレクサとの間に接続された第２のアンプ及び第３のアンプとを有する請求項３７に記載のアンテナシステム。
【請求項３９】
前記第１のデュープレクサと前記第２のアンプとの間，前記第１のデュープレクサと前記第３のアンプとの間，第２のデュープレクサと前記第２のアンプとの間，及び前記第２のデュープレクサと前記第３のアンプとの間に，それぞれ，バンドパスフィルタが接続されている請求項３８に記載のアンテナシステム。
【請求項４０】
上底部分と下底部分を有する台形状の構成要素と，前記台形状の構成要素の前記上底部分に対向して配置された直方体状の構成要素と，前記台形状の構成要素の内部に配置されたケーブルであって，前記ケーブル内の導線が前記直方体状の構成要素に接続されたケーブルと，をそれぞれ有する第１及び第２のアンテナと，
第１の端子に接続されたデュープレクス回路とを有する回路と，
を有するアンテナシステムであって，
前記第１のアンテナの前記ケーブル内の前記導線と，前記第２のアンテナの前記ケーブル内の前記導線とが，それぞれ，前記第１の端子及び前記第２の端子に接続されているアンテナシステム。
【請求項４１】
前記デュープレクス回路は，第１のデュープレクサ及び第２のデュープレクサと，前記第１のデュープレクサと前記第２のデュープレクサとの間に接続された第１のアンプ及び第２のアンプとを有する請求項４０に記載のアンテナシステム。
【請求項４２】
前記第１のデュープレクサと前記第１のアンプとの間，前記第１のデュープレクサと前記第２のアンプとの間，第２のデュープレクサと前記第１のアンプとの間，及び前記第２のデュープレクサと前記第２のアンプとの間に，それぞれ，バンドパスフィルタが接続されている請求項４１に記載のアンテナシステム。
【請求項４３】
上底部分と下底部分を有する台形状の構成要素と，前記台形状の構成要素の前記上底部分に対向して配置された直方体状の構成要素と，前記台形状の構成要素の内部に配置されたケーブルであって，前記ケーブル内の導線が前記直方体状の構成要素に接続されたケーブルと，をそれぞれ有する第１及び第２のアンテナと，
第１の端子に接続された第１のダイプレクサと，前記第２の端子に接続された第２のダイプレクサと，前記第１のダイプレクサと前記第２のダイプレクサとの間に接続された第１のデュープレクス回路及び第２のデュープレクス回路とを有する回路と，
を有するアンテナシステムであって，
前記第１のアンテナの前記ケーブル内の前記導線と，前記第２のアンテナの前記ケーブル内の前記導線とが，それぞれ，前記第１の端子及び前記第２の端子に接続されているアンテナシステム。
【請求項４４】
前記第１のデュープレクス回路は，第１のデュープレクサ及び第２のデュープレクサと，前記第１のデュープレクサと前記第２のデュープレクサとの間に接続された第１のアンプ及び第２のアンプとを有しており，且つ前記第２のデュープレクス回路は，第３のデュープレクサ及び第４のデュープレクサと，前記第３のデュープレクサと前記第４のデュープレクサとの間に接続された第３のアンプ及び第４のアンプとを有している請求項４３に記載のアンテナシステム。
【請求項４５】
前記第１のデュープレクサと前記第１のアンプとの間，前記第１のデュープレクサと前記第２のアンプとの間，第２のデュープレクサと前記第１のアンプとの間，前記第２のデュープレクサと前記第２のアンプとの間，前記第３のデュープレクサと前記第３のアンプとの間，前記第４のデュープレクサと前記第３のアンプとの間，第３のデュープレクサと前記第４のアンプとの間，前記第４のデュープレクサと前記第４のアンプとの間に，それぞれ，バンドパスフィルタが接続されている請求項４４に記載のアンテナシステム。
【請求項４６】
上底部分と下底部分を有する台形状の構成要素と，前記台形状の構成要素の前記上底部分に対向して配置された直方体状の構成要素と，前記台形状の構成要素の前記下底部分に接続された導線を内部に有するケーブルと，をそれぞれ有する第１及び第２のアンテナと，
頂点部分及び底面を有するコーンと，前記コーンの前記頂点部分に対向して配置されたディスクと，前記コーンの前記底面に接続された導線を内部に有するケーブルと，をそれぞれ有する第１及び第２のアンテナと，
アンプと，
を有するアンテナシステムであって，
前記第１のアンテナの前記ケーブル内の前記導線と，前記第２のアンテナの前記ケーブル内の前記導線との間に，前記アンプが接続されているアンテナシステム。
【請求項４７】
バンドパスフィルタを有する請求項４６に記載のアンテナシステム。
【請求項４８】
上底部分と下底部分を有する台形状の構成要素と，前記台形状の構成要素の前記上底部分に対向して配置された直方体状の構成要素と，前記台形状の構成要素の前記下底部分に接続された導線を内部に有するケーブルと，をそれぞれ有する第１及び第２のアンテナと，
第１の端子と第２の端子とに接続されたアンプを有する回路と，
を有するアンテナシステムであって，
前記第１のアンテナの前記ケーブル内の前記導線と，前記第２のアンテナの前記ケーブル内の前記導線とが，それぞれ，前記第１の端子及び前記第２の端子に接続されているアンテナシステム。
【請求項４９】
前記第１の端子と前記アンプとの間及び前記第２の端子と前記アンプとの間には，それぞれ，バンドパスフィルタが接続されている請求項４８に記載のアンテナシステム。
【請求項５０】
上底部分と下底部分を有する台形状の構成要素と，前記台形状の構成要素の前記上底部分に対向して配置された直方体状の構成要素と，前記台形状の構成要素の前記下底部分に接続された導線を内部に有するケーブルと，をそれぞれ有する第１及び第２のアンテナと，
第１の端子に接続された第１のダイプレクサと，前記第２の端子に接続された第２のダイプレクサと，前記第１のダイプレクサと前記第２のダイプレクサとの間に接続されたアンプと，前記第１のダイプレクサと前記第２のダイプレクサとを接続する配線とを有する回路と，
を有するアンテナシステムであって，
前記第１のアンテナの前記ケーブル内の前記導線と，前記第２のアンテナの前記ケーブル内の前記導線とが，それぞれ，前記第１の端子及び前記第２の端子に接続されているアンテナシステム。
【請求項５１】
前記第１のダイプレクサと前記アンプとの間及び前記第２のダイプレクサと前記アンプとの間には，それぞれ，バンドパスフィルタが接続されている請求項５０に記載のアンテナシステム。
【請求項５２】
上底部分と下底部分を有する台形状の構成要素と，前記台形状の構成要素の前記上底部分に対向して配置された直方体状の構成要素と，前記台形状の構成要素の前記下底部分に接続された導線を内部に有するケーブルと，をそれぞれ有する第１及び第２のアンテナと，
第１の端子に接続された第１のダイプレクサと，前記第２の端子に接続された第２のダイプレクサと，前記第１のダイプレクサと前記第２のダイプレクサとの間に接続された第１のアンプと，前記第１のダイプレクサと前記第２のダイプレクサとの間に接続されたデュープレクス回路とを有する回路と，
を有するアンテナシステムであって，
前記第１のアンテナの前記ケーブル内の前記導線と，前記第２のアンテナの前記ケーブル内の前記導線とが，それぞれ，前記第１の端子及び前記第２の端子に接続されているアンテナシステム。
【請求項５３】
前記デュープレクス回路は，第１のデュープレクサ及び第２のデュープレクサと，前記第１のデュープレクサと前記第２のデュープレクサとの間に接続された第２のアンプ及び第３のアンプとを有する請求項５２に記載のアンテナシステム。
【請求項５４】
前記第１のデュープレクサと前記第２のアンプとの間，前記第１のデュープレクサと前記第３のアンプとの間，第２のデュープレクサと前記第２のアンプとの間，及び前記第２のデュープレクサと前記第３のアンプとの間に，それぞれ，バンドパスフィルタが接続されている請求項５３に記載のアンテナシステム。
【請求項５５】
上底部分と下底部分を有する台形状の構成要素と，前記台形状の構成要素の前記上底部分に対向して配置された直方体状の構成要素と，前記台形状の構成要素の前記下底部分に接続された導線を内部に有するケーブルと，をそれぞれ有する第１及び第２のアンテナと，
第１の端子に接続されたデュープレクス回路とを有する回路と，
を有するアンテナシステムであって，
前記第１のアンテナの前記ケーブル内の前記導線と，前記第２のアンテナの前記ケーブル内の前記導線とが，それぞれ，前記第１の端子及び前記第２の端子に接続されているアンテナシステム。
【請求項５６】
前記デュープレクス回路は，第１のデュープレクサ及び第２のデュープレクサと，前記第１のデュープレクサと前記第２のデュープレクサとの間に接続された第１のアンプ及び第２のアンプとを有する請求項５５に記載のアンテナシステム。
【請求項５７】
前記第１のデュープレクサと前記第１のアンプとの間，前記第１のデュープレクサと前記第２のアンプとの間，第２のデュープレクサと前記第１のアンプとの間，及び前記第２のデュープレクサと前記第２のアンプとの間に，それぞれ，バンドパスフィルタが接続されている請求項５６に記載のアンテナシステム。
【請求項５８】
上底部分と下底部分を有する台形状の構成要素と，前記台形状の構成要素の前記上底部分に対向して配置された直方体状の構成要素と，前記台形状の構成要素の前記下底部分に接続された導線を内部に有するケーブルと，をそれぞれ有する第１及び第２のアンテナと，
第１の端子に接続された第１のダイプレクサと，前記第２の端子に接続された第２のダイプレクサと，前記第１のダイプレクサと前記第２のダイプレクサとの間に接続された第１のデュープレクス回路及び第２のデュープレクス回路とを有する回路と，
を有するアンテナシステムであって，
前記第１のアンテナの前記ケーブル内の前記導線と，前記第２のアンテナの前記ケーブル内の前記導線とが，それぞれ，前記第１の端子及び前記第２の端子に接続されているアンテナシステム。
【請求項５９】
前記第１のデュープレクス回路は，第１のデュープレクサ及び第２のデュープレクサと，前記第１のデュープレクサと前記第２のデュープレクサとの間に接続された第１のアンプ及び第２のアンプとを有しており，且つ前記第２のデュープレクス回路は，第３のデュープレクサ及び第４のデュープレクサと，前記第３のデュープレクサと前記第４のデュープレクサとの間に接続された第３のアンプ及び第４のアンプとを有している請求項５８に記載のアンテナシステム。
【請求項６０】
前記第１のデュープレクサと前記第１のアンプとの間，前記第１のデュープレクサと前記第２のアンプとの間，第２のデュープレクサと前記第１のアンプとの間，前記第２のデュープレクサと前記第２のアンプとの間，前記第３のデュープレクサと前記第３のアンプとの間，前記第４のデュープレクサと前記第３のアンプとの間，第３のデュープレクサと前記第４のアンプとの間，前記第４のデュープレクサと前記第４のアンプとの間に，それぞれ，バンドパスフィルタが接続されている請求項５９に記載のアンテナシステム。
【発明の詳細な説明】
【技術分野】
【０００１】
本発明は，アンテナシステムに関する。特に，テレビジョン信号やラジオ信号の受信，及び携帯電話や無線LAN等の双方向の情報通信のためのアンテナシステムに関する。
【背景技術】
【０００２】
近年，携帯電話や無線LANをはじめとして様々無線機器が普及してきている。現在，携帯電話，無線LAN等に使用されているアンテナは，それらの機器が使用する周波数帯（MHｚからGHｚ）に適合するように専用アンテナとして設計されている。例えば，無線LANの規格であるIEEE802.11bの仕様を満たすアンテナは，2.4GHzの周波数帯の電波の送受信に適合するように設計されており，原則として，2.4GHz以外の周波数帯の電波を送受信するには不向きである。
【０００３】
よって，携帯電話，無線LAN，GPS等の機器それぞれの規格に適合したアンテナが必要になってくる。このようなアンテナでは，必ずしも送受信効率が十分ではないため，受信距離に制限があり，また送信電力も十分ではないという問題がある。
【０００４】
一方，ディスコーンアンテナは，広帯域という優れた特性を持っており，複数のサービスを一つのアンテナで利用することが可能であるが，専用アンテナに比べて利得が低いという欠点を有している。
【０００５】
ディスコーンアンテナの形状に工夫を加え，より小型に成形可能な多波共用アンテナ装置もある（例えば，以下の特許文献１参照。）。
【特許文献１】特開平９−８３２３８号公報（第２頁〜６頁，図１）
【発明の開示】
【発明が解決しようとする課題】
【０００６】
従来用いられている代表的なアンテナとして，ホイップアンテナや内蔵型パターンアンテナが普及している。ホイップアンテナは，その長さを適用する特定周波数帯の波長の１／４程度の長さにすることにより，当該特定周波数帯における利得を上げることができる。しかしながら，上述のとおり，従来のホイップアンテナは，汎用性に乏しく，複数の無線機器のそれぞれについてアンテナを共用できないという問題を抱えている。
【０００７】
また，一般的なホイップアンテナや内蔵型パターンアンテナを用いた携帯電話は，高層ビルの上層階で使用すると，基地局から受信する電波又は基地局へ送信する電波を遮る障害物が少ないにも拘わらず，高層干渉のために通信状態が悪化し，最悪の場合は，通信が遮断されることが多い。
【０００８】
これは，ホイップアンテナや内蔵型パターンアンテナを用いた携帯電話は，複数の基地局から同じ周波数の電波を受け取るので，高層干渉のため，接続すべき基地局の判別ができず，安定した通信ができない状態に陥ることが多いからである。
【課題を解決するための手段】
【０００９】
そこで，本発明は，上述の問題を鑑みてなされてものであり，複数の無線機器に同時に適用でき，安定した通信を実現できる広帯域なアンテナシステムを提供するものである。
【００１０】
本発明のアンテナシステムは，ディスコーンタイプのアンテナ又はディスコーンタイプのアンテナを平面化したアンテナを用い，受信した電波をアンプやデュープレクス回路によって信号処理する構成を採用している。本発明によると，複数の無線機器に同時に適用でき，安定した通信を実現できる広帯域なアンテナシステムが実現できる。また，本発明によると，Ｓ／Ｎ比が改善され，低雑音指数（ＮＦ），低歪み特性を有するアンテナシステムが実現できる。
【００１１】
本発明によると，頂点部分及び底面を有するコーンと，前記コーンの前記頂点部分に対向して配置されたディスクと，前記コーンの内部に配置されたケーブルであって，前記ケーブル内の導線が前記ディスクに接続されたケーブルと，をそれぞれ有する第１及び第２のアンテナと，アンプと，を有するアンテナシステムであって，前記第１のアンテナの前記ケーブル内の前記導線と，前記第２のアンテナの前記ケーブル内の前記導線との間に，前記アンプが接続されているアンテナシステムが提供される。
【００１２】
また，本発明のアンテナシステムにおいては，バンドパスフィルタを有するようにしてもよい。
【００１３】
また，本発明によると，頂点部分及び底面を有するコーンと，前記コーンの前記頂点部分に対向して配置されたディスクと，前記コーンの内部に配置されたケーブルであって，前記ケーブル内の導線が前記ディスクに接続されたケーブルと，をそれぞれ有する第１及び第２のアンテナと，第１の端子と第２の端子とに接続されたアンプを有する回路と，を有するアンテナシステムであって，前記第１のアンテナの前記ケーブル内の前記導線と，前記第２のアンテナの前記ケーブル内の前記導線とが，それぞれ，前記第１の端子及び前記第２の端子に接続されているアンテナシステムが提供される。
【００１４】
また，本発明のアンテナシステムにおいては，前記第１の端子と前記アンプとの間及び前記第２の端子と前記アンプとの間には，それぞれ，バンドパスフィルタが接続されているようにしてもよい。
【００１５】
また，本発明によると，頂点部分及び底面を有するコーンと，前記コーンの前記頂点部分に対向して配置されたディスクと，前記コーンの内部に配置されたケーブルであって，前記ケーブル内の導線が前記ディスクに接続されたケーブルと，をそれぞれ有する第１及び第２のアンテナと，第１の端子に接続された第１のダイプレクサと，前記第２の端子に接続された第２のダイプレクサと，前記第１のダイプレクサと前記第２のダイプレクサとの間に接続されたアンプと，前記第１のダイプレクサと前記第２のダイプレクサとを接続する配線とを有する回路と，を有するアンテナシステムであって，前記第１のアンテナの前記ケーブル内の前記導線と，前記第２のアンテナの前記ケーブル内の前記導線とが，それぞれ，前記第１の端子及び前記第２の端子に接続されているアンテナシステムが提供される。
【００１６】
また，本発明のアンテナシステムにおいては，前記第１のダイプレクサと前記アンプとの間及び前記第２のダイプレクサと前記アンプとの間には，それぞれ，バンドパスフィルタが接続されているようにしてもよい。
【００１７】
また，本発明によると，頂点部分及び底面を有するコーンと，前記コーンの前記頂点部分に対向して配置されたディスクと，前記コーンの内部に配置されたケーブルであって，前記ケーブル内の導線が前記ディスクに接続されたケーブルと，をそれぞれ有する第１及び第２のアンテナと，第１の端子に接続された第１のダイプレクサと，前記第２の端子に接続された第２のダイプレクサと，前記第１のダイプレクサと前記第２のダイプレクサとの間に接続された第１のアンプと，前記第１のダイプレクサと前記第２のダイプレクサとの間に接続されたデュープレクス回路とを有する回路と，を有するアンテナシステムであって，前記第１のアンテナの前記ケーブル内の前記導線と，前記第２のアンテナの前記ケーブル内の前記導線とが，それぞれ，前記第１の端子及び前記第２の端子に接続されているアンテナシステムが提供される。
【００１８】
また，本発明のアンテナシステムにおいては，前記デュープレクス回路は，第１のデュープレクサ及び第２のデュープレクサと，前記第１のデュープレクサと前記第２のデュープレクサとの間に接続された第２のアンプ及び第３のアンプとを有するようにしてもよい。
【００１９】
また，本発明のアンテナシステムにおいては，前記第１のデュープレクサと前記第２のアンプとの間，前記第１のデュープレクサと前記第３のアンプとの間，第２のデュープレクサと前記第２のアンプとの間，及び前記第２のデュープレクサと前記第３のアンプとの間に，それぞれ，バンドパスフィルタが接続されているようにしてもよい。
【００２０】
また，本発明によると，頂点部分及び底面を有するコーンと，前記コーンの前記頂点部分に対向して配置されたディスクと，前記コーンの内部に配置されたケーブルであって，前記ケーブル内の導線が前記ディスクに接続されたケーブルと，をそれぞれ有する第１及び第２のアンテナと，第１の端子に接続されたデュープレクス回路とを有する回路と，を有するアンテナシステムであって，前記第１のアンテナの前記ケーブル内の前記導線と，前記第２のアンテナの前記ケーブル内の前記導線とが，それぞれ，前記第１の端子及び前記第２の端子に接続されているアンテナシステムが提供される。
【００２１】
また，本発明のアンテナシステムにおいては，前記デュープレクス回路は，第１のデュープレクサ及び第２のデュープレクサと，前記第１のデュープレクサと前記第２のデュープレクサとの間に接続された第１のアンプ及び第２のアンプとを有するようにしてもよい。
【００２２】
また，本発明のアンテナシステムにおいては，前記第１のデュープレクサと前記第１のアンプとの間，前記第１のデュープレクサと前記第２のアンプとの間，第２のデュープレクサと前記第１のアンプとの間，及び前記第２のデュープレクサと前記第２のアンプとの間に，それぞれ，バンドパスフィルタが接続されているようにしてもよい。
【００２３】
また，本発明によると，頂点部分及び底面を有するコーンと，前記コーンの前記頂点部分に対向して配置されたディスクと，前記コーンの内部に配置されたケーブルであって，前記ケーブル内の導線が前記ディスクに接続されたケーブルと，をそれぞれ有する第１及び第２のアンテナと，第１の端子に接続された第１のダイプレクサと，前記第２の端子に接続された第２のダイプレクサと，前記第１のダイプレクサと前記第２のダイプレクサとの間に接続された第１のデュープレクス回路及び第２のデュープレクス回路とを有する回路と，を有するアンテナシステムであって，前記第１のアンテナの前記ケーブル内の前記導線と，前記第２のアンテナの前記ケーブル内の前記導線とが，それぞれ，前記第１の端子及び前記第２の端子に接続されているアンテナシステムが提供される。
【００２４】
また，本発明のアンテナシステムにおいては，前記第１のデュープレクス回路は，第１のデュープレクサ及び第２のデュープレクサと，前記第１のデュープレクサと前記第２のデュープレクサとの間に接続された第１のアンプ及び第２のアンプとを有しており，且つ前記第２のデュープレクス回路は，第３のデュープレクサ及び第４のデュープレクサと，前記第３のデュープレクサと前記第４のデュープレクサとの間に接続された第３のアンプ及び第４のアンプとを有しているようにしてもよい。
【００２５】
また，本発明のアンテナシステムにおいては，前記第１のデュープレクサと前記第１のアンプとの間，前記第１のデュープレクサと前記第２のアンプとの間，第２のデュープレクサと前記第１のアンプとの間，前記第２のデュープレクサと前記第２のアンプとの間，前記第３のデュープレクサと前記第３のアンプとの間，前記第４のデュープレクサと前記第３のアンプとの間，第３のデュープレクサと前記第４のアンプとの間，前記第４のデュープレクサと前記第４のアンプとの間に，それぞれ，バンドパスフィルタが接続されているようにしてもよい。
【００２６】
また，本発明によると，頂点部分及び底面を有するコーンと，前記コーンの前記頂点部分に対向して配置されたディスクと，前記コーンの前記底面に接続された導線を内部に有するケーブルと，をそれぞれ有する第１及び第２のアンテナと，アンプと，を有するアンテナシステムであって，前記第１のアンテナの前記ケーブル内の前記導線と，前記第２のアンテナの前記ケーブル内の前記導線との間に，前記アンプが接続されているアンテナシステムが提供される。
【００２７】
また，本発明のアンテナシステムにおいては，バンドパスフィルタを有するようにしてもよい。
【００２８】
また，本発明によると，頂点部分及び底面を有するコーンと，前記コーンの前記頂点部分に対向して配置されたディスクと，前記コーンの前記底面に接続された導線を内部に有するケーブルと，をそれぞれ有する第１及び第２のアンテナと，第１の端子と第２の端子とに接続されたアンプを有する回路と，を有するアンテナシステムであって，前記第１のアンテナの前記ケーブル内の前記導線と，前記第２のアンテナの前記ケーブル内の前記導線とが，それぞれ，前記第１の端子及び前記第２の端子に接続されているアンテナシステムが提供される。
【００２９】
また，本発明のアンテナシステムにおいては，前記第１の端子と前記アンプとの間及び前記第２の端子と前記アンプとの間には，それぞれ，バンドパスフィルタが接続されているようにしてもよい。
【００３０】
また，本発明によると，頂点部分及び底面を有するコーンと，前記コーンの前記頂点部分に対向して配置されたディスクと，前記コーンの前記底面に接続された導線を内部に有するケーブルと，をそれぞれ有する第１及び第２のアンテナと，第１の端子に接続された第１のダイプレクサと，前記第２の端子に接続された第２のダイプレクサと，前記第１のダイプレクサと前記第２のダイプレクサとの間に接続されたアンプと，前記第１のダイプレクサと前記第２のダイプレクサとを接続する配線とを有する回路と，を有するアンテナシステムであって，前記第１のアンテナの前記ケーブル内の前記導線と，前記第２のアンテナの前記ケーブル内の前記導線とが，それぞれ，前記第１の端子及び前記第２の端子に接続されているアンテナシステムが提供される。
【００３１】
また，本発明のアンテナシステムにおいては，前記第１のダイプレクサと前記アンプとの間及び前記第２のダイプレクサと前記アンプとの間には，それぞれ，バンドパスフィルタが接続されているようにしてもよい。
【００３２】
また，本発明によると，頂点部分及び底面を有するコーンと，前記コーンの前記頂点部分に対向して配置されたディスクと，前記コーンの前記底面に接続された導線を内部に有するケーブルと，をそれぞれ有する第１及び第２のアンテナと，第１の端子に接続された第１のダイプレクサと，前記第２の端子に接続された第２のダイプレクサと，前記第１のダイプレクサと前記第２のダイプレクサとの間に接続された第１のアンプと，前記第１のダイプレクサと前記第２のダイプレクサとの間に接続されたデュープレクス回路とを有する回路と，を有するアンテナシステムであって，前記第１のアンテナの前記ケーブル内の前記導線と，前記第２のアンテナの前記ケーブル内の前記導線とが，それぞれ，前記第１の端子及び前記第２の端子に接続されているアンテナシステムが提供される。
【００３３】
また，本発明のアンテナシステムにおいては，前記デュープレクス回路は，第１のデュープレクサ及び第２のデュープレクサと，前記第１のデュープレクサと前記第２のデュープレクサとの間に接続された第２のアンプ及び第３のアンプとを有するようにしてもよい。
【００３４】
また，本発明のアンテナシステムにおいては，前記第１のデュープレクサと前記第２のアンプとの間，前記第１のデュープレクサと前記第３のアンプとの間，第２のデュープレクサと前記第２のアンプとの間，及び前記第２のデュープレクサと前記第３のアンプとの間に，それぞれ，バンドパスフィルタが接続されているようにしてもよい。
【００３５】
また，本発明によると，頂点部分及び底面を有するコーンと，前記コーンの前記頂点部分に対向して配置されたディスクと，前記コーンの前記底面に接続された導線を内部に有するケーブルと，をそれぞれ有する第１及び第２のアンテナと，第１の端子に接続されたデュープレクス回路とを有する回路と，を有するアンテナシステムであって，前記第１のアンテナの前記ケーブル内の前記導線と，前記第２のアンテナの前記ケーブル内の前記導線とが，それぞれ，前記第１の端子及び前記第２の端子に接続されているアンテナシステムが提供される。
【００３６】
また，本発明のアンテナシステムにおいては，前記デュープレクス回路は，第１のデュープレクサ及び第２のデュープレクサと，前記第１のデュープレクサと前記第２のデュープレクサとの間に接続された第１のアンプ及び第２のアンプとを有するようにしてもよい。
【００３７】
また，本発明のアンテナシステムにおいては，前記第１のデュープレクサと前記第１のアンプとの間，前記第１のデュープレクサと前記第２のアンプとの間，第２のデュープレクサと前記第１のアンプとの間，及び前記第２のデュープレクサと前記第２のアンプとの間に，それぞれ，バンドパスフィルタが接続されているようにしてもよい。
【００３８】
また，本発明によると，頂点部分及び底面を有するコーンと，前記コーンの前記頂点部分に対向して配置されたディスクと，前記コーンの前記底面に接続された導線を内部に有するケーブルと，をそれぞれ有する第１及び第２のアンテナと，第１の端子に接続された第１のダイプレクサと，前記第２の端子に接続された第２のダイプレクサと，前記第１のダイプレクサと前記第２のダイプレクサとの間に接続された第１のデュープレクス回路及び第２のデュープレクス回路とを有する回路と，を有するアンテナシステムであって，前記第１のアンテナの前記ケーブル内の前記導線と，前記第２のアンテナの前記ケーブル内の前記導線とが，それぞれ，前記第１の端子及び前記第２の端子に接続されているアンテナシステムが提供される。
【００３９】
また，本発明のアンテナシステムにおいては，前記第１のデュープレクス回路は，第１のデュープレクサ及び第２のデュープレクサと，前記第１のデュープレクサと前記第２のデュープレクサとの間に接続された第１のアンプ及び第２のアンプとを有しており，且つ前記第２のデュープレクス回路は，第３のデュープレクサ及び第４のデュープレクサと，前記第３のデュープレクサと前記第４のデュープレクサとの間に接続された第３のアンプ及び第４のアンプとを有しているようにしてもよい。
【００４０】
また，本発明のアンテナシステムにおいては，前記第１のデュープレクサと前記第１のアンプとの間，前記第１のデュープレクサと前記第２のアンプとの間，第２のデュープレクサと前記第１のアンプとの間，前記第２のデュープレクサと前記第２のアンプとの間，前記第３のデュープレクサと前記第３のアンプとの間，前記第４のデュープレクサと前記第３のアンプとの間，第３のデュープレクサと前記第４のアンプとの間，前記第４のデュープレクサと前記第４のアンプとの間に，それぞれ，バンドパスフィルタが接続されているようにしてもよい。
【００４１】
また，本発明によると，上底部分と下底部分を有する台形状の構成要素と，前記台形状の構成要素の前記上底部分に対向して配置された直方体状の構成要素と，前記台形状の構成要素の内部に配置されたケーブルであって，前記ケーブル内の導線が前記直方体状の構成要素に接続されたケーブルと，をそれぞれ有する第１及び第２のアンテナと，アンプと，を有するアンテナシステムであって，前記第１のアンテナの前記ケーブル内の前記導線と，前記第２のアンテナの前記ケーブル内の前記導線との間に，前記アンプが接続されているアンテナシステムが提供される。
【００４２】
また，本発明のアンテナシステムにおいては，バンドパスフィルタを有するようにしてもよい。
【００４３】
また，本発明によると，上底部分と下底部分を有する台形状の構成要素と，前記台形状の構成要素の前記上底部分に対向して配置された直方体状の構成要素と，前記台形状の構成要素の内部に配置されたケーブルであって，前記ケーブル内の導線が前記直方体状の構成要素に接続されたケーブルと，をそれぞれ有する第１及び第２のアンテナと，第１の端子と第２の端子とに接続されたアンプを有する回路と，を有するアンテナシステムであって，前記第１のアンテナの前記ケーブル内の前記導線と，前記第２のアンテナの前記ケーブル内の前記導線とが，それぞれ，前記第１の端子及び前記第２の端子に接続されているアンテナシステムが提供される。
【００４４】
また，本発明のアンテナシステムにおいては，前記第１の端子と前記アンプとの間及び前記第２の端子と前記アンプとの間には，それぞれ，バンドパスフィルタが接続されているようにしてもよい。
【００４５】
また，本発明によると，上底部分と下底部分を有する台形状の構成要素と，前記台形状の構成要素の前記上底部分に対向して配置された直方体状の構成要素と，前記台形状の構成要素の内部に配置されたケーブルであって，前記ケーブル内の導線が前記直方体状の構成要素に接続されたケーブルと，をそれぞれ有する第１及び第２のアンテナと，第１の端子に接続された第１のダイプレクサと，前記第２の端子に接続された第２のダイプレクサと，前記第１のダイプレクサと前記第２のダイプレクサとの間に接続されたアンプと，前記第１のダイプレクサと前記第２のダイプレクサとを接続する配線とを有する回路と，を有するアンテナシステムであって，前記第１のアンテナの前記ケーブル内の前記導線と，前記第２のアンテナの前記ケーブル内の前記導線とが，それぞれ，前記第１の端子及び前記第２の端子に接続されているアンテナシステムが提供される。
【００４６】
また，本発明のアンテナシステムにおいては，前記第１のダイプレクサと前記アンプとの間及び前記第２のダイプレクサと前記アンプとの間には，それぞれ，バンドパスフィルタが接続されているようにしてもよい。
【００４７】
また，本発明によると，上底部分と下底部分を有する台形状の構成要素と，前記台形状の構成要素の前記上底部分に対向して配置された直方体状の構成要素と，前記台形状の構成要素の内部に配置されたケーブルであって，前記ケーブル内の導線が前記直方体状の構成要素に接続されたケーブルと，をそれぞれ有する第１及び第２のアンテナと，第１の端子に接続された第１のダイプレクサと，前記第２の端子に接続された第２のダイプレクサと，前記第１のダイプレクサと前記第２のダイプレクサとの間に接続された第１のアンプと，前記第１のダイプレクサと前記第２のダイプレクサとの間に接続されたデュープレクス回路とを有する回路と，を有するアンテナシステムであって，前記第１のアンテナの前記ケーブル内の前記導線と，前記第２のアンテナの前記ケーブル内の前記導線とが，それぞれ，前記第１の端子及び前記第２の端子に接続されているアンテナシステムが提供される。
【００４８】
また，本発明のアンテナシステムにおいては，前記デュープレクス回路は，第１のデュープレクサ及び第２のデュープレクサと，前記第１のデュープレクサと前記第２のデュープレクサとの間に接続された第２のアンプ及び第３のアンプとを有するようにしてもよい。
【００４９】
また，本発明のアンテナシステムにおいては，前記第１のデュープレクサと前記第２のアンプとの間，前記第１のデュープレクサと前記第３のアンプとの間，第２のデュープレクサと前記第２のアンプとの間，及び前記第２のデュープレクサと前記第３のアンプとの間に，それぞれ，バンドパスフィルタが接続されているようにしてもよい。
【００５０】
また，本発明によると，上底部分と下底部分を有する台形状の構成要素と，前記台形状の構成要素の前記上底部分に対向して配置された直方体状の構成要素と，前記台形状の構成要素の内部に配置されたケーブルであって，前記ケーブル内の導線が前記直方体状の構成要素に接続されたケーブルと，をそれぞれ有する第１及び第２のアンテナと，第１の端子に接続されたデュープレクス回路とを有する回路と，を有するアンテナシステムであって，前記第１のアンテナの前記ケーブル内の前記導線と，前記第２のアンテナの前記ケーブル内の前記導線とが，それぞれ，前記第１の端子及び前記第２の端子に接続されているアンテナシステムが提供される。
【００５１】
また，本発明のアンテナシステムにおいては，前記デュープレクス回路は，第１のデュープレクサ及び第２のデュープレクサと，前記第１のデュープレクサと前記第２のデュープレクサとの間に接続された第１のアンプ及び第２のアンプとを有するようにしてもよい。
【００５２】
また，本発明のアンテナシステムにおいては，前記第１のデュープレクサと前記第１のアンプとの間，前記第１のデュープレクサと前記第２のアンプとの間，第２のデュープレクサと前記第１のアンプとの間，及び前記第２のデュープレクサと前記第２のアンプとの間に，それぞれ，バンドパスフィルタが接続されているようにしてもよい。
【００５３】
また，本発明によると，上底部分と下底部分を有する台形状の構成要素と，前記台形状の構成要素の前記上底部分に対向して配置された直方体状の構成要素と，前記台形状の構成要素の内部に配置されたケーブルであって，前記ケーブル内の導線が前記直方体状の構成要素に接続されたケーブルと，をそれぞれ有する第１及び第２のアンテナと，第１の端子に接続された第１のダイプレクサと，前記第２の端子に接続された第２のダイプレクサと，前記第１のダイプレクサと前記第２のダイプレクサとの間に接続された第１のデュープレクス回路及び第２のデュープレクス回路とを有する回路と，を有するアンテナシステムであって，前記第１のアンテナの前記ケーブル内の前記導線と，前記第２のアンテナの前記ケーブル内の前記導線とが，それぞれ，前記第１の端子及び前記第２の端子に接続されているアンテナシステムが提供される。
【００５４】
また，本発明のアンテナシステムにおいては，前記第１のデュープレクス回路は，第１のデュープレクサ及び第２のデュープレクサと，前記第１のデュープレクサと前記第２のデュープレクサとの間に接続された第１のアンプ及び第２のアンプとを有しており，且つ前記第２のデュープレクス回路は，第３のデュープレクサ及び第４のデュープレクサと，前記第３のデュープレクサと前記第４のデュープレクサとの間に接続された第３のアンプ及び第４のアンプとを有しているようにしてもよい。。
【００５５】
また，本発明のアンテナシステムにおいては，前記第１のデュープレクサと前記第１のアンプとの間，前記第１のデュープレクサと前記第２のアンプとの間，第２のデュープレクサと前記第１のアンプとの間，前記第２のデュープレクサと前記第２のアンプとの間，前記第３のデュープレクサと前記第３のアンプとの間，前記第４のデュープレクサと前記第３のアンプとの間，第３のデュープレクサと前記第４のアンプとの間，前記第４のデュープレクサと前記第４のアンプとの間に，それぞれ，バンドパスフィルタが接続されているようにしてもよい。
【００５６】
また，本発明によると，上底部分と下底部分を有する台形状の構成要素と，前記台形状の構成要素の前記上底部分に対向して配置された直方体状の構成要素と，前記台形状の構成要素の前記下底部分に接続された導線を内部に有するケーブルと，をそれぞれ有する第１及び第２のアンテナと，頂点部分及び底面を有するコーンと，前記コーンの前記頂点部分に対向して配置されたディスクと，前記コーンの前記底面に接続された導線を内部に有するケーブルと，をそれぞれ有する第１及び第２のアンテナと，アンプと，を有するアンテナシステムであって，前記第１のアンテナの前記ケーブル内の前記導線と，前記第２のアンテナの前記ケーブル内の前記導線との間に，前記アンプが接続されているアンテナシステムが提供される。
【００５７】
また，本発明のアンテナシステムにおいては，バンドパスフィルタを有するようにしてもよい。
【００５８】
また，本発明によると，上底部分と下底部分を有する台形状の構成要素と，前記台形状の構成要素の前記上底部分に対向して配置された直方体状の構成要素と，前記台形状の構成要素の前記下底部分に接続された導線を内部に有するケーブルと，をそれぞれ有する第１及び第２のアンテナと，第１の端子と第２の端子とに接続されたアンプを有する回路と，を有するアンテナシステムであって，前記第１のアンテナの前記ケーブル内の前記導線と，前記第２のアンテナの前記ケーブル内の前記導線とが，それぞれ，前記第１の端子及び前記第２の端子に接続されているアンテナシステムが提供される。
【００５９】
また，本発明のアンテナシステムにおいては，前記第１の端子と前記アンプとの間及び前記第２の端子と前記アンプとの間には，それぞれ，バンドパスフィルタが接続されているようにしてもよい。
【００６０】
また，本発明によると，上底部分と下底部分を有する台形状の構成要素と，前記台形状の構成要素の前記上底部分に対向して配置された直方体状の構成要素と，前記台形状の構成要素の前記下底部分に接続された導線を内部に有するケーブルと，をそれぞれ有する第１及び第２のアンテナと，第１の端子に接続された第１のダイプレクサと，前記第２の端子に接続された第２のダイプレクサと，前記第１のダイプレクサと前記第２のダイプレクサとの間に接続されたアンプと，前記第１のダイプレクサと前記第２のダイプレクサとを接続する配線とを有する回路と，を有するアンテナシステムであって，前記第１のアンテナの前記ケーブル内の前記導線と，前記第２のアンテナの前記ケーブル内の前記導線とが，それぞれ，前記第１の端子及び前記第２の端子に接続されているアンテナシステムが提供される。
【００６１】
また，本発明のアンテナシステムにおいては，前記第１のダイプレクサと前記アンプとの間及び前記第２のダイプレクサと前記アンプとの間には，それぞれ，バンドパスフィルタが接続されているようにしてもよい。
【００６２】
また，本発明によると，上底部分と下底部分を有する台形状の構成要素と，前記台形状の構成要素の前記上底部分に対向して配置された直方体状の構成要素と，前記台形状の構成要素の前記下底部分に接続された導線を内部に有するケーブルと，をそれぞれ有する第１及び第２のアンテナと，第１の端子に接続された第１のダイプレクサと，前記第２の端子に接続された第２のダイプレクサと，前記第１のダイプレクサと前記第２のダイプレクサとの間に接続された第１のアンプと，前記第１のダイプレクサと前記第２のダイプレクサとの間に接続されたデュープレクス回路とを有する回路と，を有するアンテナシステムであって，前記第１のアンテナの前記ケーブル内の前記導線と，前記第２のアンテナの前記ケーブル内の前記導線とが，それぞれ，前記第１の端子及び前記第２の端子に接続されているアンテナシステムが提供される。
【００６３】
また，本発明のアンテナシステムにおいては，前記デュープレクス回路は，第１のデュープレクサ及び第２のデュープレクサと，前記第１のデュープレクサと前記第２のデュープレクサとの間に接続された第２のアンプ及び第３のアンプとを有するようにしてもよい。
【００６４】
また，本発明のアンテナシステムにおいては，前記第１のデュープレクサと前記第２のアンプとの間，前記第１のデュープレクサと前記第３のアンプとの間，第２のデュープレクサと前記第２のアンプとの間，及び前記第２のデュープレクサと前記第３のアンプとの間に，それぞれ，バンドパスフィルタが接続されているようにしてもよい。
【００６５】
また，本発明によると，上底部分と下底部分を有する台形状の構成要素と，前記台形状の構成要素の前記上底部分に対向して配置された直方体状の構成要素と，前記台形状の構成要素の前記下底部分に接続された導線を内部に有するケーブルと，をそれぞれ有する第１及び第２のアンテナと，第１の端子に接続されたデュープレクス回路とを有する回路と，を有するアンテナシステムであって，前記第１のアンテナの前記ケーブル内の前記導線と，前記第２のアンテナの前記ケーブル内の前記導線とが，それぞれ，前記第１の端子及び前記第２の端子に接続されているアンテナシステムが提供される。
【００６６】
また，本発明のアンテナシステムにおいては，前記デュープレクス回路は，第１のデュープレクサ及び第２のデュープレクサと，前記第１のデュープレクサと前記第２のデュープレクサとの間に接続された第１のアンプ及び第２のアンプとを有するようにしてもよい。
【００６７】
また，本発明のアンテナシステムにおいては，前記第１のデュープレクサと前記第１のアンプとの間，前記第１のデュープレクサと前記第２のアンプとの間，第２のデュープレクサと前記第１のアンプとの間，及び前記第２のデュープレクサと前記第２のアンプとの間に，それぞれ，バンドパスフィルタが接続されているようにしてもよい。
【００６８】
また，本発明によると，上底部分と下底部分を有する台形状の構成要素と，前記台形状の構成要素の前記上底部分に対向して配置された直方体状の構成要素と，前記台形状の構成要素の前記下底部分に接続された導線を内部に有するケーブルと，をそれぞれ有する第１及び第２のアンテナと，第１の端子に接続された第１のダイプレクサと，前記第２の端子に接続された第２のダイプレクサと，前記第１のダイプレクサと前記第２のダイプレクサとの間に接続された第１のデュープレクス回路及び第２のデュープレクス回路とを有する回路と，を有するアンテナシステムであって，前記第１のアンテナの前記ケーブル内の前記導線と，前記第２のアンテナの前記ケーブル内の前記導線とが，それぞれ，前記第１の端子及び前記第２の端子に接続されているアンテナシステムが提供される。
【００６９】
また，本発明のアンテナシステムにおいては，前記第１のデュープレクス回路は，第１のデュープレクサ及び第２のデュープレクサと，前記第１のデュープレクサと前記第２のデュープレクサとの間に接続された第１のアンプ及び第２のアンプとを有しており，且つ前記第２のデュープレクス回路は，第３のデュープレクサ及び第４のデュープレクサと，前記第３のデュープレクサと前記第４のデュープレクサとの間に接続された第３のアンプ及び第４のアンプとを有するようにしてもよい。
【００７０】
また，本発明のアンテナシステムにおいては，前記第１のデュープレクサと前記第１のアンプとの間，前記第１のデュープレクサと前記第２のアンプとの間，第２のデュープレクサと前記第１のアンプとの間，前記第２のデュープレクサと前記第２のアンプとの間，前記第３のデュープレクサと前記第３のアンプとの間，前記第４のデュープレクサと前記第３のアンプとの間，第３のデュープレクサと前記第４のアンプとの間，前記第４のデュープレクサと前記第４のアンプとの間に，それぞれ，バンドパスフィルタが接続されているようにしてもよい。
【発明の効果】
【００７１】
本発明によると，複数の無線機器に同時に適用でき，安定した通信を実現できる広帯域なアンテナシステムが実現できる。また，Ｓ／Ｎ比が改善され，低雑音指数（ＮＦ），低歪みが実現できる。
【発明を実施するための最良の形態】
【００７２】
図１を参照する。図１には，本発明のアンテナシステムに用いるディスコーンタイプのアンテナ１００の斜視図が示されている。
【００７３】
ディスコーンタイプのアンテナ１００は，コーン１０１，ディスク１０２，ケーブル１０３及び絶縁体１０５を有している。コーン１０１は，頂点部分１０１−１及び底面１０１−２を有している。ケーブル１０３は，絶縁性の被膜に被覆された導線１０３−１を有している。
【００７４】
図１に示すとおり，ディスク１０２は，コーン１０１の頂点部分１０１−１に絶縁体１０５を挟んで配置されている。ケーブル１０３は，コーン１０１の内部を貫通して配置されている。ケーブル１０３の導線１０３−１は，コーン１０１の外部へ突出しており，ディスク１０２まで延在し，ディスク１０２に電気的に接続されている。
【００７５】
本実施形態においては，ケーブル１０３には，同軸ケーブルを用いており，同軸ケーブルの中心導線が導線１０３−１に相当する。また，本実施形態においては，同軸ケーブルの中心導線を取り囲む網組線（シールド線）はコーンの底面１０１−２に接続された端子１０４に接続されるようにしている。なお，導線１０３−１はコーン１０１とは絶縁されており，電気的に接続されていない。
【００７６】
ここで，図２を参照する。図２には，本実施形態のディスコーンタイプのアンテナ１００の概略断面図が示されている。本実施形態のディスコーンタイプのアンテナ１００におけるコーン１０１の底面１０１−２の直径（コーン１０１の最大直径）をＣ１，頂点部分１０１−１の直径（コーン１０１の最小直径）をＣ２，斜面の長さをＬ，斜面の傾きをφとし，またディスク１０２の直径をＤとする。本実施形態のアンテナ１００の設計パラメータＣ１，Ｃ２，Ｌ，φ，Ｓ及びＤには，実験結果に基づく最適値として，以下の数式を満たす関係が成立する。なお，本実施形態のディスコーンタイプのアンテナ１００の設計パラメータＣ１，Ｃ２，Ｌ，φ，Ｓ及びＤの決定には，J. J. Nail著,
Designing Discone Type Antennas, Electronics, August 1953, pp 167-169を参考にすることができる。
【００７７】
ディスク１０２とコーン１０１との間隔Ｓ＝０．３×Ｃ２    （数式１）
ディスク１０２の直径Ｄ＝０．７×Ｃ１                    （数式２）
コーン１０２の斜面の傾きφ＝６０°                      （数式３）
【００７８】
ディスコーンタイプアンテナの帯域幅は，通常，定在波比（VSWR: Voltage Standing-Wave Ratio）で評価され，例えば，定在波比（VSWR）の値が２以下である周波数領域をアンテナの帯域幅という。この帯域幅の最小周波数は，およそコーンの斜面の長さＬの４倍に等しい波長に相当する周波数である。また，コーンの最小直径C２は，周波数の帯域幅に逆比例することが知られており，帯域の最大周波数の要求値から決定される。さらに，コーンの斜面の傾きφは，定在波比（VSWR）の周波数特性の形状を決めるもので，実用的には，６０°が採用される。なお，コーンの斜面の傾きφは，４０°〜７０°にすればよく，本実施形態においては，φ＝６０°とした。
【００７９】
本実施形態のディスコーンタイプのアンテナ１００は，従来のディスコーンタイプのアンテナと比較して，高利得を得ながら広帯域特性を実現できる。
【００８０】
次に，図３を参照する。図３には，本実施形態のアンテナシステム１０００の構成図が示されている。図３に示すとおり，本実施形態のアンテナシステムは，ディスコーンタイプのアンテナ１００を２つ用い，それぞれのアンテナ間にアンプ等の回路を有している。
【００８１】
本実施形態のアンテナシステム１０００は，図１に示すアンテナ１００を２つ有しており（１００＿１及び１００＿２），これらアンテナ１００の導線１０３−１（１０３−１＿１及び１０３−１＿２）の間に，アンプを有する回路１００１が接続されている。
【００８２】
回路１００１は，バンドパスフィルタ（ＢＰＦ）１００２及び１００４，アンプ（ＡＭＰ）１００３，バッテリ１００５並びに端子１００６及び１００７を有している。図３に示すとおり，端子１００６はバンドパスフィルタ１００２の入力に接続されており，バンドパスフィルタ１００２の出力はアンプ１００３の入力に接続されており，アンプ１００３の出力はバンドパスフィルタ１００４の入力に接続されており，またバンドパスフィルタ１００４の出力は，端子１００７に接続されている。なお，バンドパスフィルタ１００２及び１００４は必要に応じて設ければ良く，本実施形態においては，４７０ＭＨｚ〜７００ＭＨｚの周波数帯に対応したものを用いた。
【００８３】
本実施形態のアンテナシステム１０００は，テレビジョン・ベース・ステーション１０１０から発信されるテレビジョン信号をアンテナ１００＿１で受信する。受信されたテレビジョン信号は，導線１０３−１＿１を経由して回路１００１に出力される。回路１００１に入力されたテレビジョン信号は，端子１００６に入力される。入力されたテレビジョン信号をバンドパスフィルタ１００２でフィルタした後，アンプ１００３で増幅し，更にバンドパスフィルタ１００４でフィルタした後，導線１０３−１＿２に出力する。そして，導線１０３−１＿２に入力された増幅されたテレビジョン信号は，導線１０３−１＿２を経由してアンテナ１００＿２へ伝送される。アンテナ１００＿２は，増幅されたテレビジョン信号を発信し，モバイル・テレビジョン１０２０等の受信機がこのテレビジョン信号を受信する。
【００８４】
本実施形態においては，回路１００１には，低雑音指数（低ノイズファクター：NF）及び低歪み性能を有する回路を採用し，また約７ｄＢのゲインが得られるような回路を採用した。
【００８５】
また，回路１００１は，電磁波シールドケースに収納されるようにしてもよい。更に，アンテナシステム１０００は，ケースに収納されるようにしてもよい。
【００８６】
本実施形態のアンテナシステム１０００において，アンテナ１００の角度を可変とし，最適な角度を設定できるようにしても良い。
【００８７】
本実施形態のアンテナシステム１０００は，広帯域なアンテナ１００＿１及び１００＿２を備え，且つアンテナ１００＿１で受信した信号を増幅するアンプ回路１００３を備えているので，比較的微弱な電波を受信する際でも通話品質の向上を図ることができる。特に，自動車，飛行機，電車等の移動体内でのテレビジョン信号の受信には絶大な効果を発揮する。
【００８８】
なお，本実施形態においては，テレビジョン信号を送受信するアンテナシステムについて説明したが，携帯電話の信号，ラジオ信号，無線LAN（８０２．１１a，ｂ，ｇ等）等に対応するようにしても良い。そのときは，用いる周波数帯に対応して，回路１００１のバンドパスフィルタ（ＢＰＦ）１００２及び１００４並びにアンプ（ＡＭＰ）１００３を変更すればよい。
【００８９】
また，本実施形態においては，ケーブル１０３には同軸ケーブルを用いたが，図４に示すように，導線１０３−１が絶縁性の被膜に被覆された単純な構成のケーブル１０３を用いても良く，その場合も，導線１０３−１はコーンとは絶縁されて電気的に接続されていない状態になるようにする。図４に示すアンテナ１００の断面図を図５に示す。図５に示すとおり，コーン１００の頂点部分１０１−１の直径（コーン１０１の最小直径）は，同様にＣ２として定義される。
【００９０】
また，本実施形態においては，コーン１０１とディスク１０２との間隔を安定して保持するために絶縁体１０５を用いているが，絶縁体１０５を用いなくてもコーン１０１とディスク１０２との間隔を安定して保持できる場合は，絶縁体１０５を用いないようにしても良い。
【実施例１】
【００９１】
本実施例においては，本発明のアンテナシステムに用いるディスコーンタイプのアンテナの別の例について説明する。
【００９２】
図６を参照する。図６には，本実施例のディスコーンタイプのアンテナが示されている。図６において，図１に示すアンテナ１００と同じ構成要素については，アンテナ１００と同じ符号を付してあるので，ここでは改めて説明はしない。１０３−２は，ケーブル１０３（本実施例においては同軸ケーブル）の内部の絶縁体であり，外側のシールド配線と内側の導線１０３−１とを絶縁するためのものである。
【００９３】
図６に示すとおり，本実施例では，ケーブル１０３の内部の絶縁体１０３−２が，コーン１０３から突出して外側まで延びている。
【００９４】
本実施例のアンテナ１００を上述の実施形態で説明した図３に示すアンテナシステムに用いると，広帯域なアンテナを備え，且つアンテナで受信した信号を増幅するアンプ回路１００３を備えているので，比較的微弱な電波を受信する際でも通話品質の向上を図ることができる。特に，自動車，飛行機，電車等の移動体内でのテレビジョン信号の受信には絶大な効果を発揮する。
【実施例２】
【００９５】
本実施例においては，本発明のアンテナシステムに用いるディスコーンタイプのアンテナの別の例について説明する。
【００９６】
図７を参照する。図７には，本実施例のディスコーンタイプのアンテナが示されている。図７において，図１に示すアンテナ１００と同じ構成要素については，アンテナ１００と同じ符号を付してあるので，ここでは改めて説明はしない。
【００９７】
図７に示すとおり，本実施例のアンテナ１００は，コーン１０１の内部にケーブルが存在せず，導線１０３−１がコーン１０１の底面１０１−２に電気的に接続されている。また，導線１０３−１は，ディスク１０２に電気的に接続されていない。
【００９８】
図７に示す本実施例のアンテナ１００の概略断面図を図８に示す。図８に示すとおり，本実施例のアンテナ１００の設計パラメータＣ１，Ｃ２，Ｌ，φ，Ｓ及びＤは図２に示す例と同様に定義され，上述の数式１〜３を満たすように設定するのが好ましい。
【００９９】
また，本実施例においては，コーン１０１とディスク１０２との間隔を安定して保持するために絶縁体１０５を用いているが，絶縁体１０５を用いなくてもコーン１０１とディスク１０２との間隔を安定して保持できる場合は，絶縁体１０５を用いないようにしても良い。
【０１００】
また，図９に示すように，頂点部分１０１−１が小さい純円錐状のコーン１０１を用いるようにしても良い。図９のアンテナの断面図を図１０に示す。図９に示すアンテナにおいても，図１０に示すとおり，コーン１００の頂点部分１０１−１の直径（コーン１０１の最小直径）は，同様にＣ２として定義される。
【０１０１】
本実施例のアンテナ１００を上述の実施形態で説明した図３に示すアンテナシステムに用いると，広帯域なアンテナを備え，且つアンテナで受信した信号を増幅するアンプ回路１００３を備えているので，比較的微弱な電波を受信する際でも通話品質の向上を図ることができる。特に，自動車，飛行機，電車等の移動体内でのテレビジョン信号の受信には絶大な効果を発揮する。
【実施例３】
【０１０２】
本実施例においては，図１１及び図１２を参照し，上述の実施形態又は実施例で説明した図１，図４，図６に示されるアンテナ１００を平面化したアンテナ（以下「平面化アンテナ」という。）について説明する。
【０１０３】
図１１には，本実施例の平面化アンテナの斜視図が示されている。本実施例の平面化アンテナは，図１に示すアンテナ１００をスライスした様な形状を有している。即ち，本実施例の平面化アンテナは，厚みを有する台形状の構成要素２０１と，台形状の構成要素２０１の上底部分２０１−１に対向して設けられた直方体状の構成要素２０２を有している。また，台形状の構成要素２０１の内部には，ケーブル２０３を備えており，ケーブル２０３の導線２０３−１が台形状の構成要素２０１から突出し，直方体状の構成要素２０２まで延在して直方体状の構成要素２０２と電気的に接続されている。２０５は端子である。
【０１０４】
本実施例においては，ケーブル２０３には，同軸ケーブルを用いており，同軸ケーブルの中心導線が導線２０３−１に相当する。また，本実施例においては，同軸ケーブルの中心導線を取り囲む網組線（シールド線）は，台形状の構成要素の下底部分２０１−２に接続された端子２０４に接続されるようにしている。なお，導線２０３−１は台形状の構成要素２０１とは絶縁されており，電気的に接続されていない。
【０１０５】
なお，図１１に示すように，ケーブル２０３の絶縁体が台形状の構成要素２０１から突出しないようにしても良いし，図６に示す例と同様に，ケーブル２０３の絶縁体が台形状の構成要素２０１から突出するようにしてもよい。
【０１０６】
また，台形状の構成要素２０１の上底部分２０１−１と直方体状の構成要素２０２との間に絶縁体を挟むようにしてもよい。
【０１０７】
ここで，図１２に，図１１の平面化アンテナ２００の上面図を示す。図１２に示すように，台形状の構成要素２０１及び直方体状の構成要素２０２の設計パラメータは，図２に示す本発明のアンテナ１００の各設計パラメータＣ１，Ｃ２，Ｌ，φ，Ｓ及びＤにそれぞれ対応して考えることができる。即ち，図１に示すディスク１０２とコーン１０１との間隔Ｓは，本実施例の直方体状の構成要素２０２と台形状の構成要素２０１との間隔に相当し，ディスク１０２の直径Ｄは直方体状の構成要素２０２の長さに相当し，コーン１０１の斜面の傾きφは台形状の構成要素２０１の傾斜角に相当し，コーン１０１の最大直径Ｃ１は台形状の構成要素２０１の下底２０１−２の長さに相当し，且つコーン１０１の最小直径C２は台形状の構成要素２０１の上底２０１−１の長さに相当する。
【０１０８】
また，本実施例の平面アンテナの設計パラメータＣ１，Ｃ２，Ｌ，φ，Ｓ及びＤには，図１のアンテナ１００と同様に，実験結果に基づく最適値として，以下の数式を満たす関係が成立する。
【０１０９】
直方体状の構成要素２０２と台形状の構成要素２０１との間隔Ｓ
＝０．３×Ｃ２      （数式４）
直方体状の構成要素２０２の長さＤ＝０．７×Ｃ１                （数式５）
台形状の構成要素２０１の傾斜角φ＝６０°                    （数式６）
【０１１０】
また，本実施例においては，ケーブル２０３には同軸ケーブルを用いたが，図４の例で用いたケーブルと同様，導線２０３−１が絶縁性の被膜に被覆された単純な構成のケーブルを用いても良い。その場合も，導線２０３−１はコーンとは絶縁されて電気的に接続されていない状態になるようにする。
【０１１１】
本実施例の平面化アンテナは，上述のディスクとコーンとを有するアンテナ１００と比較して非常にコンパクトであるにも拘わらず，広帯域を実現でき，ノイズレベルを下げ，Ｓ／Ｎ比を上げることができる。
【０１１２】
本実施例の平面化アンテナ２００を上述の実施形態で説明した図３に示すアンテナシステムに用いると，広帯域なアンテナを備え，且つアンテナで受信した信号を増幅するアンプ回路１００３を備えているので，比較的微弱な電波を受信する際でも通話品質の向上を図ることができる。特に，自動車，飛行機，電車等の移動体内でのテレビジョン信号の受信には絶大な効果を発揮する。
【実施例４】
【０１１３】
本実施例においては，図１３及び図１４を参照し，上述の実施例で説明した図７及び図９に示されるアンテナ１００を平面化した平面化アンテナについて説明する。
【０１１４】
図１３には，本実施例の平面化アンテナの斜視図が示されている。本実施例の平面化アンテナは，図７に示すアンテナ１００をスライスした様な形状を有している。即ち，本実施例の平面化アンテナは，厚みを有する台形状の構成要素２０１と，台形状の構成要素２０１の上底部分２０１−１に対向して設けられた直方体状の構成要素２０２を有している。また，台形状の構成要素２０１の下底２０１−２には，導線２０３−１が電気的に接続されている。
【０１１５】
ここで，図１４に，図１３の平面化アンテナ２００の上面図を示す。図１４に示すように，本実施例のアンテナ２００の設計パラメータＣ１，Ｃ２，Ｌ，φ，Ｓ及びＤは図１２に示す平面化アンテナの例と同様に定義され，上述の数式４１〜６を満たすように設定するのが好ましい。
【０１１６】
本実施例の平面化アンテナ２００は，上述のディスクとコーンとを有するアンテナ１００と比較して非常にコンパクトであるにも拘わらず，広帯域を実現でき，ノイズレベルを下げ，Ｓ／Ｎ比を上げることができる。
【０１１７】
本実施例の平面化アンテナ２００を上述の実施形態で説明した図３に示すアンテナシステムに用いると，広帯域なアンテナを備え，且つアンテナで受信した信号を増幅するアンプ回路１００３を備えているので，比較的微弱な電波を受信する際でも通話品質の向上を図ることができる。特に，自動車，飛行機，電車等の移動体内でのテレビジョン信号の受信には絶大な効果を発揮する。
【実施例５】
【０１１８】
本実施例においては，上述の実施形態又は実施例１乃至４で説明したディスコーンタイプのアンテナ１００又は平面化アンテナ２００を２つ用い，それぞれのアンテナ間にアンプ，周波数分波器（ダイプレクサ）等の回路を設け，異なる周波数帯の電波を送受信することができるアンテナシステムについて説明する。
【０１１９】
図１５を参照する。図１５には，本実施例のアンテナシステム１１００の構成が示されている。本実施例のアンテナシステム１１００は，図１に示すディスコーンタイプのアンテナ１００を２つ有しており（１００＿１及び１００＿２），これらアンテナ１００＿１及び１００＿２を接続する導線１０３−１＿１と１０３−１＿２の間に，機能回路１１０１が接続されている。なお，図１で説明したディスコーンタイプのアンテナ１００の代わりに，図４，図６，図７又は図９で説明したディスコーンタイプのアンテナ１００を用いても良いし，また図１１又は図１３で説明した平面化アンテナ２００を用いても良い。
【０１２０】
機能回路１１０１は，ダイプレクサ１１０２及び１１０６，バンドパスフィルタ１１０３及び１１０５，アンプ１１０４，バッテリ１１０７並びに端子１１０８及び１１０９を有している。本実施例においては，バンドパスフィルタ１１０３及び１１０５には，４７０ＭＨｚ〜７００ＭＨｚの周波数帯に対応したものを用いた。
【０１２１】
本実施例のアンテナシステム１１００は，テレビジョン・ベース・ステーション１１１０から発信されるテレビジョン信号，携帯電話１１２０から発信される携帯電話送信信号，及び携帯電話基地局（Cell  Sight  Station）から発信される携帯電話受信信号（以下，本実施例においては，携帯電話１１２０から発信される携帯電話送信信号及び携帯電話基地局から発信される携帯電話受信信号を総称して「携帯電話送受信信号」という。）をアンテナ１００＿１で受信する。受信されたこれらの信号は，導線１０３−１＿１を経由して機能回路１１０１に伝送される。機能回路１１０１いおいては，入力されたテレビジョン信号及び携帯電話送受信信号は端子１１０８に入力され，ダイプレクサ１１０２に入力される。ダイプレクサ１１０２は，入力されたテレビジョン信号及び携帯電話送受信信号を分波し，テレビジョン信号をバンドパスフィルタ１１０３へ，また携帯電話送受信信号を１１０８で示す配線ルートを経由してダイプレクサ１１０６へ伝送する。バンドパスフィルタ１１０３へ入力されたテレビジョン信号は，バンドパスフィルタ１１０３によってフィルタされた後，アンプ１１０４で増幅され，更にバンドパスフィルタ１１０５でフィルタされた後，ダイプレクサ１１０６へ出力される。ダイプレクサ１１０６は，配線ルート１１０８を経由して入力される携帯電話送受信信号と，アンプ１１０４の配線ルート１１０８を経由して入力されるテレビジョン信号とを合成・加算し，端子１１０９から導線１０３−１＿２へ出力する。そして，導線４８に入力された増幅されたテレビジョン信号及び携帯電話送受信信号は，中心導線４８を経由したアンテナ１００＿２へ伝送される。アンテナ１００＿２は，増幅されたテレビジョン信号及び携帯電話送受信信号を発信し，モバイル・テレビジョン１１４０，携帯電話１１５０及び携帯電話基地局１１６０等の受信機がこれらの信号を受信する。
【０１２２】
なお，携帯電話１１２０及び１１５０並びに携帯電話基地局１１３０及び１１６０は，携帯電話信号を双方向で送受信するため，アンテナ１００＿２で受信した携帯電話送受信信号が導線１０３−１＿２を経由して機能回路１１０１へ入力され，ダイプレクサ１１０６，配線ルート１１０８，ダイプレクサ１１０２，中心配線１０３−１＿１の順に伝送されて，アンテナ１００＿１によっても発信される。
【０１２３】
本実施例のアンテナシステム１１００は，広帯域なアンテナ１００＿１及び１００＿２を備え，且つアンテナ１００＿１で受信した信号を増幅するアンプ回路１１０４を備えているので，比較的微弱な電波を受信する際でも通話品質の向上を図ることができる。また，ダイプレクサ１１０２とダイプレクサ１１０６との間にアンプを介さない配線ルート１１０８を有しているので，テレビジョン信号と携帯電話信号といった異なる周波数帯の電波を同時に扱うことができる。
【０１２４】
本実施例のアンテナシステム１１００において，アンテナ１００の角度を可変とし，最適な角度を設定できるようにしても良い。
【０１２５】
なお，本実施例においては，テレビジョン信号と携帯電話信号とを送受信するアンテナシステムについて説明したが，ラジオ信号，無線LAN（８０２．１１a，ｂ，ｇ等）等，他の信号に対応するようにしても良い。そのときは，用いる周波数帯に対応して，機能回路１１０１のダイプレクサ１１０２及び１１０６，バンドパスフィルタ１１０３及び１１０５並びにアンプ１１０４を適時変更すればよい。
【実施例６】
【０１２６】
本実施例においては，上述の実施形態又は実施例１乃至４で説明したディスコーンタイプのアンテナ１００又は平面化アンテナ２００を２つ用い，それぞれのアンテナ間にアンプ，ダイプレクサ，デュープレクス回路等の回路を設け，異なる周波数帯の電波を送受信することができるアンテナシステムについて説明する。
【０１２７】
図１６を参照する。図１６には，本実施例のアンテナシステム１２００の構成が示されている。本実施例のアンテナシステム１２００は，図１に示すアンテナ１００を２つ有しており（１００＿１及び１００＿２），これらアンテナ１００＿１及び１００＿２を接続する導線１０３−１＿１と１０３−１＿２の間に，機能回路１２０１が接続されている。なお，図１で説明したディスコーンタイプのアンテナ１００の代わりに，図４，図６，図７又は図９で説明したディスコーンタイプのアンテナ１００を用いても良いし，また図１１又は図１３で説明した平面化アンテナ２００を用いても良い。
【０１２８】
機能回路１２０１は，ダイプレクサ１２０２及び１２０６，バンドパスフィルタ１２０３及び１２０５，アンプ１２０４，デュープレクス回路（デュープレクサ１２０７及び１２１４，バンドパスフィルタ１２０８，１２１０，１２１１及び１２１３，アンプ１２０９及び１２１２），バッテリ１２１５，並びに端子１２１６及び１２１７を有している。本実施例のアンテナシステム１２００においては，デュープレクス回路によって，携帯電話のデュープレクス通信を実現することができる。
【０１２９】
本実施例においては，バンドパスフィルタ１２０３及び１２０５は４７０ＭＨｚ〜７００ＭＨｚの周波数帯に対応したものを用い，バンドパスフィルタ１２０８及び１２１０は８１５ＭＨｚ〜８５０ＭＨｚの周波数帯に対応したものを用い，またバンドパスフィルタ１２１１及び１２１３は８６０ＭＨｚ〜８９５ＭＨｚの周波数帯に対応したものを用いた。
【０１３０】
次に，本実施例のアンテナシステムの動作について説明する。本実施例のアンテナシステム１２００においては，テレビジョン・ベース・ステーション１２５０から発信されるテレビジョン信号及び携帯電話基地局（Cell  Sight  Base  Station）１２２０から送信される携帯電話受信信号をアンテナ１００＿２で受信する。これは，携帯電話１２３０から送信される携帯電話受信信号は，本発明のアンテナ１００＿１及び１００＿２の特性により，携帯電話基地局１２２０に直接受信されるよりも本発明のアンテナ１００＿１によって受信される方が優位に働くからであると考えられる。
【０１３１】
受信されたこれらの信号は，導線１０３−１＿２を経由して機能回路１２０１に伝送される。機能回路１２０１は，端子１２１７に入力されたテレビジョン信号及び携帯電話受信信号をダイプレクサ１２０６に入力する。ダイプレクサ１２０６は，入力されたテレビジョン信号及び携帯電話受信信号を分波し，テレビジョン信号をバンドパスフィルタ１２０５へ，また携帯電話受信号をデュープレクサ１２１４へ出力する。
【０１３２】
バンドパスフィルタ１２０５へ入力されたテレビジョン信号は，バンドパスフィルタ１２０５によってフィルタされた後，アンプ１２０４で増幅され，更にバンドパスフィルタ１２０３でフィルタされた後，ダイプレクサ１２０２へ出力される。
【０１３３】
デュープレクサ１２１４へ伝送された携帯電話受信信号は，バンドパスフィルタ１２１３によってフィルタされた後，アンプ１２１２で増幅され，更にバンドパスフィルタ１２１１でフィルタされた後，デュープレクサ１２０７へ出力される。デュープレクサ１２０７によって選択された，増幅後の携帯電話受信信号は，ダイプレクサ１２０２へ出力される。
【０１３４】
ダイプレクサ１２０２は，バンドパスフィルタ１２０３から出力される増幅されたテレビジョン信号とデュープレクサ１２０７から出力される増幅された携帯電話受信信号とを合成・加算し，端子１２１６から機能回路１２０１の出力として導線１０３−１＿１に出力する。そして，導線１０３−１＿１に入力された増幅されたテレビジョン信号及び携帯電話受信信号は，導線１０３−１＿１を経由してアンテナ１００＿１へ伝送される。アンテナ１００＿１は，増幅されたテレビジョン信号及び携帯電話受信信号を発信し，モバイル・テレビジョン１２４０及び携帯電話１２３０がそれぞれこれらの信号を受信する。
【０１３５】
一方，本システムにおいては，携帯電話１２３０から発信される携帯電話送信信号をアンテナ１００＿１で受信する。受信された携帯電話送信信号は，導線１０３−１＿１を経由して機能回路１２０１に伝送される。機能回路１２０１は，端子１２１６に入力された携帯電話送信信号をダイプレクサ１２０２に入力する。ダイプレクサ１２０２は，入力された携帯電話送信信号を分波し，デュープレクサ１２０７へ伝送する。デュープレクサ１２０７へ伝送された携帯電話送信信号は，バンドパスフィルタ１２０８によってフィルタされた後，アンプ１２０９で増幅され，更にバンドパスフィルタ１２１０でフィルタされた後，デュープレクサ１２１４へ出力される。デュープレクサ１２１４によって選択された携帯電話送信信号は，ダイプレクサ１２０６へ出力される。
【０１３６】
ダイプレクサ１２０６は，デュープレクサ１２１４から出力された携帯電話送信信号を機能回路１２０１の出力として端子１２１７から導線１０３−１＿２に出力する。そして，導線１０３−１＿２に入力された携帯電話送信信号は，導線１０３−１＿２を経由してアンテナ１００＿２へ伝送される。アンテナ１００＿２は，増幅された携帯電話送信信号を発信し，携帯電話基地局１２２０がこれを受信する。
【０１３７】
このようにして，本実施例のアンテナシステムに１２００おいては，本発明のアンテナを用いながら，テレビジョン信号の受信と，携帯電話信号のデュープレクス通信とを同時に実現することができる。
【０１３８】
本実施例のアンテナシステム１２００において，アンテナ１００の角度を可変とし，最適な角度を設定できるようにしても良い。
【０１３９】
なお，本実施例においては，テレビジョン信号と携帯電話信号とを送受信するアンテナシステムについて説明したが，ラジオ信号，無線LAN（８０２．１１a，ｂ，ｇ等）等，他の信号に対応するようにしても良い。そのときは，用いる周波数帯に対応して，機能回路１２０１のダイプレクサ１２０２及び１２０６，デュープレクサ１２０７及び１２１４，バンドパスフィルタ１２０３及び１２０５，１２０８，１２１０，１２１１及び１２１３並びにアンプ１２０４，１２０９及び１２１２を適時変更すればよい。
【実施例７】
【０１４０】
本実施例においては，上述の実施形態又は実施例１乃至４で説明したディスコーンタイプのアンテナ１００又は平面化アンテナ２００を２つ用い，それぞれのアンテナ間にアンプ，デュープレクス回路等の回路を設け，異なる周波数帯の電波を送受信することができるアンテナシステムについて説明する。
【０１４１】
図１７を参照する。図１７には，本実施例のアンテナシステム１３００の構成が示されている。本実施例のアンテナシステム１３００は，図１に示すアンテナ１００を２つ有しており（１００＿１及び１００＿２），これらアンテナ１００＿１及び１００＿２を接続する導線１０３−１＿１と１０３−１＿２の間に，機能回路１３０１が接続されている。なお，図１で説明したディスコーンタイプのアンテナ１００の代わりに，図４，図６，図７又は図９で説明したディスコーンタイプのアンテナ１００を用いても良いし，また図１１又は図１３で説明した平面化アンテナ２００を用いても良い。
【０１４２】
機能回路１３０１は，デュープレクス回路（デュープレクサ１３０２及び１３０９，バンドパスフィルタ１３０３，１３０５，１３０６及び１３０８，アンプ１３０４及び１３０７），バッテリ１３１０，端子１３１１及び１３１２を有している。本実施例のアンテナシステムにおいては，機能回路１３０１によって，携帯電話のデュープレクス通信を実現することができる。
【０１４３】
本実施例においては，バンドパスフィルタ１３０３及び１３０５は８１５ＭＨｚ〜８５０ＭＨｚの周波数帯に対応したものを用い，バンドパスフィルタ１３０６及び１３０８は８６０ＭＨｚ〜８９５ＭＨｚの周波数帯に対応したものを用いた。
【０１４４】
次に，本実施例のアンテナシステムの動作について説明する。本実施例のアンテナシステム１３００においては，携帯電話基地局（Cell  Sight  Base  Station）１３２０から発信される携帯電話受信信号をアンテナ１００＿２で受信する。これは，携帯電話１３３０から送信される携帯電話受信信号は，本発明のアンテナ１００＿１及び１００＿２の特性により，携帯電話基地局１３２０に直接受信されるよりも本発明のアンテナ１００＿１によって受信される方が優位に働くからであると考えられる。受信された携帯電話受信信号は，導線１０３−１＿２を経由して機能回路１３０１に伝送される。機能回路１２０１は，端子１３１２に入力された携帯電話受信信号をデュープレクサ１３０９へ出力する。
【０１４５】
デュープレクサ１３０９へ出力された携帯電話受信信号は，バンドパスフィルタ１３０８によってフィルタされた後，アンプ１３０７で増幅され，更にバンドパスフィルタ１３０６でフィルタされた後，デュープレクサ１３０２へ出力される。デュープレクサ１３０２によって選択された，増幅後の携帯電話受信信号は，機能回路１３０１の出力として端子１３１１から導線１０３−１＿１に出力する。そして，導線１０３−１＿１に入力された増幅された携帯電話受信信号は，導線１０３−１＿１を経由してアンテナ１００＿１へ伝送される。アンテナ１００＿１は，増幅された携帯電話受信信号を発信し，携帯電話１３３０がこれらの信号を受信する。
【０１４６】
一方，本システムにおいては，携帯電話１３３０から発信される携帯電話送信信号をアンテナ１００＿１で受信する。受信された携帯電話送信信号は，導線１０３−１＿１を経由して機能回路１３０１に伝送される。機能回路１３０１は，端子１３１１に入力された携帯電話送信信号をデュープレクサ１３０２へ伝送する。デュープレクサ１３０２へ伝送された携帯電話送信信号は，バンドパスフィルタ１３０３によってフィルタされた後，アンプ１３０４で増幅され，更にバンドパスフィルタ１３０５でフィルタされた後，デュープレクサ１３０９へ出力される。デュープレクサ１３０９によって選択された携帯電話送信信号は機能回路１２０１の出力として端子１３１２から導線１０３−１＿２に出力される。そして，導線１０３−１＿２に入力された携帯電話送信信号は，導線１０３−１＿２を経由してアンテナ１００＿２へ伝送される。アンテナ１００＿２は，増幅された携帯電話送信信号を発信し，携帯電話基地局１３２０がこれを受信する。
【０１４７】
このようにして，本実施例のアンテナシステムにおいては，本発明のアンテナを用いながら，携帯電話信号のデュープレクス通信を実現することができる。
【０１４８】
本実施例のアンテナシステム１３００において，アンテナ１００の角度を可変とし，最適な角度を設定できるようにしても良い。
【０１４９】
なお，本実施例においては，携帯電話信号を送受信するアンテナシステムについて説明したが，無線LAN（８０２．１１a，ｂ，ｇ等）等，他の信号に対応するようにしても良い。そのときは，用いる周波数帯に対応して，機能回路１３０１のデュープレクサ１３０２及び１３０９，バンドパスフィルタ１３０３及，１３０５，１３０６及び１３０８並びにアンプ１３０４及び１３０７を適時変更すればよい。
【実施例８】
【０１５０】
本実施例においては，上述の実施形態又は実施例１乃至４で説明したディスコーンタイプのアンテナ１００又は平面化アンテナ２００を２つ用い，それぞれのアンテナ間にアンプ，デュープレクス回路等の回路を設け，異なる周波数帯の電波を送受信することができるアンテナシステムについて説明する。
【０１５１】
図１８を参照する。図１８には，本実施例のアンテナシステム１４００の構成が示されている。本実施例のアンテナシステム１４００は，図１に示すアンテナ１００を２つ有しており（１００＿１及び１００＿２），これらアンテナ１００＿１及び１００＿２を接続する導線１０３−１＿１と１０３−１＿２の間に，機能回路１４０１が接続されている。なお，図１で説明したディスコーンタイプのアンテナ１００の代わりに，図４，図６，図７又は図９で説明したディスコーンタイプのアンテナ１００を用いても良いし，また図１１又は図１３で説明した平面化アンテナ２００を用いても良い。
【０１５２】
機能回路１４０１は，ダイプレクサ１４０２及び１４１１，２つのデュープレクス回路（デュープレクサ１４０３，１４１０，１４１２及び１４１９，バンドパスフィルタ１４０４，１４０６，１４０７，１４０９，１４１３，１４１５，１４１６及び１４１８，アンプ１４０５，１４０８，１４１４及び１４１７），バッテリ１４２０，並びに端子１４２１及び１４２２を有している。本実施例のアンテナシステムにおいては，２つのデュープレクス回路を有する機能回路１４０１によって，異なる周波数帯を用いた携帯電話のデュープレクス通信を実現することができる。
【０１５３】
本実施例においては，バンドパスフィルタ１４０４及び１４０６は８１５ＭＨｚ〜８５０ＭＨｚの周波数帯に対応したものを用い，バンドパスフィルタ１４０７及び１４０９は８６０ＭＨｚ〜８９５ＭＨｚの周波数帯に対応したものを用いた。また，バンドパスフィルタ１４１３及び１４１５は１９２０ＭＨｚ〜１９８０ＭＨｚの周波数帯に対応したものを用い，バンドパスフィルタ１４１６及び１４１８は２１１０ＭＨｚ〜２１７０ＭＨｚの周波数帯に対応したものを用いた
【０１５４】
次に，本実施例のアンテナシステムの動作について説明する。本実施例のアンテナシステム１４００においては，携帯電話基地局（Cell  Sight  Base  Station）１４３０から発信される２つの異なる周波数帯（８００MHｚ帯及び２GHｚ帯）の携帯電話受信信号をアンテナ１００＿２で受信する。受信された携帯電話受信信号は，導線１０３−１＿２を経由して機能回路１４０１に伝送される。機能回路１４０１は，端子１４２２に入力された携帯電話受信信号をダイプレクサ１４１１へ出力する。ダイプレクサ１４１１は，受信した２つの異なる周波数帯の携帯電話受信信号を分波し，８００MHｚ帯の携帯電話受信信号をデュープレクサ１４１０へ出力し，２GHｚ帯の携帯電話受信信号をデュープレクサ１４１９へ出力する。
【０１５５】
デュープレクサ１４１０へ出力された携帯電話受信信号は，デュープレクサ１４１０によって選択され，バンドパスフィルタ１４０９によってフィルタされた後，アンプ１４０８で増幅され，更にバンドパスフィルタ１４０７でフィルタされた後，デュープレクサ１４０３へ出力される。デュープレクサ１４０３によって選択された，増幅後の８００MHz帯の携帯電話受信信号は，ダイプレクサ１４０２へ出力される。
【０１５６】
一方，デュープレクサ１４１９は入力される２GHｚ帯の携帯電話受信信号は，，デュープレクサ１４１９によって選択され，バンドパスフィルタ１４０１８によってフィルタされた後，アンプ１４１７で増幅され，更にバンドパスフィルタ１４１６でフィルタされた後，デュープレクサ１４１２へ出力される。デュープレクサ１４１２によって選択された，増幅後の２GHz帯の携帯電話受信信号は，ダイプレクサ１４０２へ出力される。
【０１５７】
増幅された８００MHｚ帯の携帯電話受信信号及び２GHz帯の携帯電話受信信号は，ダイプレクサ１４０２で合成・加算され，機能回路１４０１の出力として端子１４２１から導線１０３−１＿１に出力される。そして，導線１０３−１＿１に入力されたこれらの増幅された携帯電話受信信号は，導線１０３−１＿１を経由してアンテナ１００＿１へ伝送される。アンテナ１００＿１は，増幅された携帯電話受信信号を発信し，携帯電話１４４０（８００MHｚ帯に対応）及び１４５０（２GMHｚ帯に対応）がこれらの信号を受信する。
【０１５８】
一方，本アンテナシステムにおいては，携帯電話１４３０及び１４５０から発信される携帯電話送信信号をアンテナ１００＿１で受信する。受信された８００MHz帯及び２GHz帯の携帯電話送信信号は，導線１０３−１＿１を経由して機能回路１４０１に伝送される。機能回路１４０１は，端子１４２１に入力された携帯電話送信信号をダイプレクサ１４０２へ出力する。ダイプレクサ１４０２は，受信した２つの異なる周波数帯の携帯電話送信信号を分波し，８００MHｚ帯の携帯電話送信信号をデュープレクサ１４０３へ出力し，２GHｚ帯の携帯電話送信信号をデュープレクサ１４１２へ出力する。
【０１５９】
デュープレクサ１４０３へ出力された携帯電話送信信号は，デュープレクサ１４０３によって選択され，バンドパスフィルタ１４０６によってフィルタされた後，アンプ１４０５で増幅され，更にバンドパスフィルタ１４０６でフィルタされた後，デュープレクサ１４１０へ出力される。デュープレクサ１４０３によって選択された，増幅後の８００MHz帯の携帯電話送信信号は，ダイプレクサ１４１１へ出力される。
【０１６０】
一方，デュープレクサ１４１２に入力される２GHｚ帯の携帯電話送信信号は，，デュープレクサ１４１２によって選択され，バンドパスフィルタ１４１３によってフィルタされた後，アンプ１４１４で増幅され，更にバンドパスフィルタ１４１５でフィルタされた後，デュープレクサ１４１９へ出力される。デュープレクサ１４１９によって選択された，増幅後の２GHz帯の携帯電話送信信号は，ダイプレクサ１４１１へ出力される。
【０１６１】
増幅された８００MHｚ帯の携帯電話送信信号及び２GHz帯の携帯電話送信信号は，ダイプレクサ１４１１で合成・加算され，機能回路１４０１の出力として導線１０３−１＿２に出力される。そして，導線１０３−１＿２に入力されたこれらの増幅された携帯電話送信信号は，端子１４２２から導線１０３−１＿２を経由してアンテナ１００＿２へ伝送される。アンテナ１００＿２は，増幅された携帯電話送信信号を発信し，携帯電話基地局１４３０がこれらの信号を受信する。
【０１６２】
このようにして，本実施例のアンテナシステムにおいては，本発明のアンテナを用いながら，異なる２つの周波数帯の携帯電話信号のデュープレクス通信を実現することができる。
【０１６３】
本実施例のアンテナシステム１４００において，アンテナ１００の角度を可変とし，最適な角度を設定できるようにしても良い。
【０１６４】
なお，本実施例においては，８００MHｚ帯及び２GHz帯の携帯電話に適用した例について説明したが，これらの周波数帯以外の周波数帯を用いた携帯電話にも適用できるのは言うまでもない。そのときは，用いる周波数帯に対応して，機能回路１４０１のデュープレクサ１４０２及び１４１１，ダイプレクサ１４０３，１４１０，１４１２及び１４１９，バンドパスフィルタ１４０４，１４０６，１４０７，１４０９，１４１３，１４１５，１４１６及び１４１８並びにアンプ１４０５，１４０８，１４１４及び１４１７を適時変更すればよい。
【実施例９】
【０１６５】
上述の実施形態又は実施例で説明した本発明のアンテナ１００及び平面化アンテナ２００には，金，銅，アルミニウム，ステンレス，真鍮等，アンテナ特性を発揮できる金属を用いることができる。
【実施例１０】
【０１６６】
上述の実施形態又は実施例で説明した本発明のアンテナシステムは，ビル内のオフィス，病院，工場，スタジアム，トンネル，電車，自動車，航空機，船舶等をはじめ，あらゆる構造物内又は構内で用いることができる。また，ＰＨＳの構内交換機用のアンテナとして用いることもできる。
【産業上の利用可能性】
【０１６７】
本発明のアンテナシステムによると，複数の無線機器に同時に適用でき，安定した通信を実現できる広帯域なアンテナシステムが実現できる。また，本発明のアンテナシステムによると，Ｓ／Ｎ比が改善され，低雑音指数（ＮＦ），低歪み性能を有するアンテナシステムが実現できる。
【０１６８】
よって，本発明のアンテナシステムは，無線機器を使用するビル内のオフィス，病院，工場，スタジアム，トンネル，電車，自動車，航空機，船舶等をはじめ，あらゆる構造物内又は構内で用いることができる。また，ＰＨＳの構内交換機用のアンテナとして用いることもできる。
【図面の簡単な説明】
【０１６９】
【図１】本発明のアンテナシステムに用いるディスコーンタイプのアンテナの斜視図である。
【図２】本発明のアンテナシステムに用いるディスコーンタイプのアンテナの断面図である。
【図３】本発明のアンテナシステムの一実施形態の構成図である。
【図４】本発明のアンテナシステムに用いるディスコーンタイプのアンテナの斜視図である。
【図５】本発明のアンテナシステムに用いるディスコーンタイプのアンテナの断面図である。
【図６】本発明のアンテナシステムに用いるディスコーンタイプのアンテナの側面図である。
【図７】本発明のアンテナシステムに用いるディスコーンタイプのアンテナの斜視図である。
【図８】本発明のアンテナシステムに用いるディスコーンタイプのアンテナの断面図である。
【図９】本発明のアンテナシステムに用いるディスコーンタイプのアンテナの斜視図である。
【図１０】本発明のアンテナシステムに用いるディスコーンタイプのアンテナの断面図である。
【図１１】本発明のアンテナシステムに用いる平面化アンテナの斜視図である。
【図１２】本発明のアンテナシステムに用いる平面化アンテナの断面図である。
【図１３】本発明のアンテナシステムに用いる平面化アンテナの斜視図である。
【図１４】本発明のアンテナシステムに用いる平面化アンテナの断面図である。
【図１５】本発明のアンテナシステムの一実施例の構成図である。
【図１６】本発明のアンテナシステムの一実施例の構成図である。
【図１７】本発明のアンテナシステムの一実施例の構成図である。
【図１８】本発明のアンテナシステムの一実施例の構成図である。
【符号の説明】
【０１７０】
１００＿１  アンテナ
１００＿２  アンテナ
１０３−１＿１  導線
１０３−１＿２  導線
１０００  アンテナシステム
１００１  回路
１００２，１００４  バンドパスフィルタ
１００３  アンプ
【図１】
2006033626.tif 000003
【図２】
2006033626.tif 000004
【図３】
2006033626.tif 000005
【図４】
2006033626.tif 000006
【図５】
2006033626.tif 000007
【図６】
2006033626.tif 000008
【図７】
2006033626.tif 000009
【図８】
2006033626.tif 000010
【図９】
2006033626.tif 000011
【図１０】
2006033626.tif 000012
【図１１】
2006033626.tif 000013
【図１２】
2006033626.tif 000014
【図１３】
2006033626.tif 000015
【図１４】
2006033626.tif 000016
【図１５】
2006033626.tif 000017
【図１６】
2006033626.tif 000018
【図１７】
2006033626.tif 000019
【図１８】
2006033626.tif 000020